(57)【要約】細長い、第一と第二部材（１１、１２）を包含するロックボルト（１０）が開示される。細長い第一部材は、岩盤を貫通するようになっている第一端部（１３）と、駆動手段を装着するようになっている第二端部とを包含する。細長い第一部材は、細長い第二部材の少なくとも部分的に長手方向の内側に配置される。細長い第二部材は、所定の位置にロックボルトを固定するために、少なくとも長さの一部分に沿って横方向に拡張をするようになっている。キャビティは、細長い、第一と第二の部材の間で、細長い第一部材の第一と第二の端部の間に広がって形成される。本発明に従うロックボルトを用いた穿孔の方法もまた開示される。
2006526718.tif 000002
【特許請求の範囲】
【請求項１】
ロックボルトであって、前記ロックボルトが細長い、第一及び第二の部材を具備していて、前記細長い第一部材が、岩盤を貫通するようになっている第一端部と、駆動手段を装着するようになっている第二端部とを含んでいて、前記細長い第一部材が、前記細長い第二部材の少なくとも部分的に長手方向の内側に配置される、ロックボルト。
【請求項２】
前記細長い第一部材の前記第一端部が、ドリルビット手段を包含する、請求項1に記載のロックボルト。
【請求項３】
前記細長い第一部材の前記第一端部が、タングステンカーバイドから構成される、請求項1又は2に記載のロックボルト。
【請求項４】
ロックボルトであって、前記ロックボルトが細長い、第一及び第二の部材を具備していて、細長い第一部材が、岩盤を貫通する手段を受容するようになっている第一端部と、手段を作動するために装着するようになっている第二端部とを含んでいて、前記細長い第一部材が、前記細長い第二部材の少なくとも部分的に長手方向の内側に配置される、ロックボルト。
【請求項５】
前記細長い第二部材との相対的な前記細長い第一部材の運動を拘束するための手段を、さらに具備する請求項1から4のいずれか一項に記載のロックボルト。
【請求項６】
前記細長い第二部材が、少なくともその長さの一部分に沿って横方向の拡張するようになっている、請求項1から5のいずれか一項に記載のロックボルト。
【請求項７】
前記細長い第一部材が、横方向の拡張するようになっている前記細長い第二部材の少なくとも部分よりも大きな横方向の寸法の部分を含んでいる、請求項6に記載のロックボルト。
【請求項８】
前記細長い第二部材が、横方向の拡張するようになっている少なくとも部分を含んでいて、岩を貫通するための手段が、横方向の拡張するようになっている前記細長い第二部材の前記少なくとも一部分よりも横方向の寸法が大きい部分を含んでいる、請求項1から3のいずれか一項に記載のロックボルト。
【請求項９】
前記細長い第一部材の前記第二端部が装着手段を含んでいる、請求項1から8のいずれか一項に記載のロックボルト。
【請求項１０】
前記細長い第一部材の前記第一端部にある前記装着手段の進出で、前記装着手段が、横方向に拡張するようになっている前記細長い第二部材の領域で、直接又は間接のいずれであっても、横方向の力を発生するように配置され、ゆえに横方向の拡張を引き起こす、請求項9に記載のロックボルト。
【請求項１１】
前記細長い第一部材が円形断面を有する中空のロッドである、請求項1から10のいずれか一項に記載のロックボルト。
【請求項１２】
前記細長い第一部材が円形断面を有する中実のロッドである、請求項1から10のいずれか一項に記載のロックボルト。
【請求項１３】
前記細長い第一部材が非円形断面を有する中空のロッドである、請求項1から10のいずれか一項に記載のロックボルト。
【請求項１４】
前記細長い第一部材が非円形断面を有する中実のロッドである、請求項1から10のいずれか一項に記載のロックボルト。
【請求項１５】
前記細長い第一部材が軸方向に滑らかな外表面を有する、請求項1から14のいずれか一項に記載のロックボルト。
【請求項１６】
前記細長い第一部材が、グラウト材と前記細長い第一部材との間の付加的なの接合を提供するためにざらざらした表面を有する、請求項1から14のいずれか一項に記載のロックボルト。
【請求項１７】
前記細長い第二部材が中空のロッドである、請求項1から16のいずれか一項に記載のロックボルト。
【請求項１８】
前記細長い第二部材が円形断面を有する、請求項1から17のいずれか一項に記載のロックボルト。
【請求項１９】
前記細長い第二部材の内表面と外表面の少なくとも一つが滑らかである、請求項17又は18に記載のロックボルト。
【請求項２０】
前記細長い第二部材の内表面と外表面の少なくとも一つがざらざらしている、請求項1から19のいずれか一項に記載のロックボルト。
【請求項２１】
前記細長い第二部材が、前記スリーブの内表面と外表面との間の圧力の伝達を提供するために波形である、請求項20に記載のロックボルト。
【請求項２２】
前記波板の深さが前記細長い第二部材の半径に比例する、請求項21に記載のロックボルト。
【請求項２３】
前記細長い第一部材が、構造部材として適切に作用するために、高引っ張り強度の材料から構成される、請求項1から22のいずれか一項に記載のロックボルト。
【請求項２４】
前記細長い第二部材が、横方向に拡張するようになっている部分の拡張を可能にし、一方前記細長い第二部材の残余部の変形を防止するために、複数の細長い金属部材とプラスチック管との複合材を含んでいる、請求項1から23のいずれか一項に記載のロックボルト。
【請求項２５】
前記細長い第二部材が、不連続な鋼製端部カラーを備えるプラスチック管を含む、請求項1から23のいずれか一項に記載のロックボルト。
【請求項２６】
前記細長い、第一及び第二部材が、前記細長い第二部材に向かう前記細長い第一部材の前記第一端部の長手方向への進出によって、横方向に拡張するようになっている前記細長い第二部材の少なくとも一部分の拡張を引き起こすために配置される、請求項1から25のいずれか一項に記載のロックボルト。
【請求項２７】
少なくとも一つの拡張さやをさらに含む、請求項1から26のいずれか一項に記載のロックボルト。
【請求項２８】
請求項10に従属する場合において、前記少なくとも一つの拡張さやは、装着手段が前記細長い第一部材の前記第一端部に向かって進出する時に、横方向に拡張するようになっている、請求項27に記載のロックボルト。
【請求項２９】
前記拡張さやは、前記細長い第一部材の前記第一端部が、前記少なくとも一つの拡張さやに向かって動く時に、横方向に拡張するために配置される、請求項27又は28に記載のロックボルト。
【請求項３０】
前記少なくとも一つの拡張さやは、前記細長い第一部材の前記第一端部に向かって進出する時に、拡張するために配置される、請求項27又は28に記載のロックボルト。
【請求項３１】
前記細長い第一部材の前記第一端部が、材料の流入と流出を可能にするための少なくとも一つのアクセス導管を含む、請求項1から30のいずれか一項に記載のロックボルト。
【請求項３２】
前記細長い第一部材の前記第二端部が、材料の流入と流出を可能にするための少なくとも一つのアクセス導管を含む、請求項1から31のいずれか一項に記載のロックボルト。
【請求項３３】
前記アクセス導管と細長い第一部材とが鍛造される、請求項31又は32に記載のロックボルト。
【請求項３４】
前記細長い第一部材の前記第一端部がドリルビット手段を含む、請求項4又はそれに従属する請求項のいずれか一項に記載のロックボルト。
【請求項３５】
前記ドリルビット手段が、穿孔作業及びグラウト作業中に、材料の流入と流出を可能にするための少なくとも一つのアクセス導管を含んでいる、請求項2又は34に記載のロックボルト。
【請求項３６】
キャビティが、前記細長い第一部材と前記細長い第二部材との間に広がって、前記細長い第一部材の前記第一端部と第二端部との間に流体を流すために備えられる、請求項1から35のいずれか一項に記載のロックボルト。
【請求項３７】
前記キャビティが、前記細長い第一部材と細長い第二部材との間の長手方向に広がる、請求項36に記載のロックボルト。
【請求項３８】
前記キャビティが環状である、請求項36又は37に記載のロックボルト。
【請求項３９】
穿孔された穴の周囲に、前記岩盤壁に隣接するために前記第二端部の領域で、前記細長い第一部材に装着されるワッシャーをさらに具備する、請求項1から38のいずれか一項に記載のロックボルト。
【請求項４０】
前記細長い第一部材の前記第二端部が、細長い第三部材の第一端部にさらに装着するようになっている細長い第三部材をさらに具備していて、前記細長い第二部材が、細長い第四部材の前記第一端部に装着するようになっている第二端部を含んでいる、請求項1から39のいずれか一項に記載のロックボルト。
【請求項４１】
前記細長い第一部材が、前記細長い第三部材と共に固定される場合に、少なくとも一つの回転方向で二つの間の相対的な回転をほぼ防止するために、前記細長い第三部材に固定出来るように配置される、請求項40に記載のロックボルト。
【請求項４２】
細長い第三部材と細長い第四部材をさらに具備する、請求項40又は41に記載のロックボルト。
【請求項４３】
ロックボルト延長手段であって、前記ロックボルト延長手段が、細長い、第三と第四の部材を具備していて、前記細長い第三部材が、請求項1から42のいずれか一項に記載のロックボルトの前記細長い第一部材の第二端部に装着するようになっている第一端部と、駆動手段を装着するようになっていて、さらに細長い第五部材の第一端部に装着するようになっている第二端部とを含み、前記細長い第四部材が、請求項1から42のいずれか一項に記載のロックボルトの細長い第二部材の第二端部に装着するようになっている第一端部と、細長い第六部材の第一端部に装着するようになっている第二端部とを含んでおり、前記細長い第三部材が、前記細長い第四部材の少なくとも部分的に長手方向の内側に配置される、ロックボルト延長手段。
【請求項４４】
キャビティが備えられていて、キャビティが、前記細長い第三部材と前記細長い第四部材との間の長手方向に広がって、前記細長い第三部材の前記第一端部と前記第二端部との間に流体を流すことが可能である、請求項43に記載のロックボルト延長手段。
【請求項４５】
前記細長い、第三と第四の部材が同じで、前記細長い、第四と第六の部材が同じである、請求項43又は44に記載のロックボルト延長手段。
【請求項４６】
ロックボルトキットであって、前記ロックボルトキットが、細長い、第一と第二部材及び前記細長い第一部材の前記第一端部によって受容するようになっている岩盤貫通手段を具備していて、前記細長い第一部材が、岩盤貫通手段を受容するようになっている第一端部と、駆動手段を装着するようになっていている第二端部とを含んでおり、前記細長い第一部材が、前記細長い第二部材の少なくとも部分的に長手方向の内側に配置されるようになっている、ロックボルトキット。
【請求項４７】
前記細長い第二部材が、少なくともその長さの一部分に沿って横方向に拡張するようになっている、請求項46に記載のロックボルトキット。
【請求項４８】
前記細長い第一部材が、横方向に拡張するようになっている前記細長い第二部材の部分より横方向の寸法が大きい部分を含んでいる、請求項47に記載のロックボルトキット。
【請求項４９】
前記岩盤貫通手段が、横方向に拡張するようになっている前記細長い第二部材の部分より横方向の寸法が大きい部分を含んでいる、請求項47に記載のロックボルトキット。
【請求項５０】
装着手段が、駆動手段を装着するために、前記細長い第一部材の前記第二端部に備えられていて、前記細長い第一部材の前記第一端部に向かって前記装着手段の進出において、前記装着手段が、横方向に拡張するようになっている前記細長い第二部材の領域で、直接又は間接のいずれであっても、横方向の力を発生するために配置されていて、ゆえに横方向の拡張を引き起こす、請求項46から48のいずれか一項に記載のロックボルトキット。
【請求項５１】
前記装着手段が、前記細長い第一部材のネジ山が切られた部分に装着される、めネジ山が切られたカラーを含んでいる、請求項46から50のいずれか一項に記載のロックボルトキット。
【請求項５２】
前記細長い第一部材が、非円形断面を有する中空ロッドである、請求項46から51のいずれか一項に記載のロックボルトキット。
【請求項５３】
前記細長い第一部材が、非円形断面を有する中実ロッドである、請求項46から52のいずれか一項に記載のロックボルトキット。
【請求項５４】
前記細長い第一部材が、滑らかな軸方向の外表面を有する、請求項46から53のいずれか一項に記載のロックボルトキット。
【請求項５５】
前記細長い第一部材が、グラウト材と前記細長い第一部材との間の付加的な接合を提供するために、ざらざらした表面を有する、請求項46から53のいずれか一項に記載のロックボルトキット。
【請求項５６】
前記細長い第二部材が、内部及び外表面を有する中空ロッドである、請求項46から55のいずれか一項に記載のロックボルトキット。
【請求項５７】
前記細長い第二部材が、円形断面を有する、請求項56に記載のロックボルトキット。
【請求項５８】
前記細長い第二部材の内部及び外表面の少なくとも一つが滑らかである、請求項56又は57に記載のロックボルトキット。
【請求項５９】
前記細長い第二部材の内部及び外表面の少なくとも一つが、グラウト材と前記細長い第二部材との間の付加的な接合を提供するために、ざらざらしている、請求項56から58のいずれか一項に記載のロックボルトキット。
【請求項６０】
前記細長い第二部材が、前記細長い第二部材の内表面と外表面との間の圧力の伝達を提供するために波形である、請求項59に記載のロックボルトキット。
【請求項６１】
前記波板の深さが前記細長い第二部材の半径に比例する、請求項60に記載のロックボルトキット。
【請求項６２】
前記細長い第二部材が、少なくとも一つの拡張さやを含んでいる、請求項46から61のいずれか一項に記載のロックボルトキット。
【請求項６３】
切断要素と、請求項4、又はそれに従属する請求項のいずれか一項に記載のロックボルトに、岩盤貫通手段を装着するための手段とを具備する、岩盤貫通手段。
【請求項６４】
請求項4、又はそれに従属する請求項のいずれか一項に記載のロックボルトの細長い第二部材を延長するための手段をさらに具備する、請求項63に記載の岩盤貫通手段。
【請求項６５】
穿孔の方法であって、前記方法が、（a）穿孔部材を打ちこむ段階と（b）所望される深さの穴が穿孔されたならば、岩盤から穿孔部材を取り除く段階とを含んでいて、（a）の段階において、前記穿孔部材が、細長い、第一と第二部材を含み、前記細長い第一部材が、前記細長い第二部材の少なくとも部分的に長手方向の内側に配置されていて、前記細長い第一部材が、岩盤面に、前記細長い第一部材の前記第一端部の領域で、前記細長い第一部材と岩盤面及び細長い第二部材と岩盤面との間に流体を大量に流しながら、岩盤を貫通するようになっている第一端部と、駆動手段を装着するようになっている第二端部とを含む、穿孔の方法。
【請求項６６】
前記流体が液体である、請求項65に記載の穿孔の方法。
【請求項６７】
ロックボルトを設置する方法であって、前記方法が、
（a)前記ロックボルトを打ち込む段階において、前記ロックボルトが、第一と細長い第二部材を含み、前記細長い第一部材が、前記細長い第二部材の少なくとも部分的に長手方向の内側に配置されていて、前記細長い第一部材が、岩盤を貫通するようになっている第一端部と、駆動手段に装着するようになっている第二端部とを含んでおり、前記細長い第一部材と細長い第二部材との間のキャビティへ、及び前記細長い第一部材の前記第一端部の領域で岩盤面を通過して、第一流体を大量に流しながら岩盤面に、ロックボルトを打ち込む段階と、
（b)前記細長い第一部材、前記細長い第二部材及び岩盤表面のそれぞれの間に、グラウト材の流体を注入する段階と、
（c)グラウト材の流体が固化するまでの設定された時間を待つ段階と、
を含んでいる、ロックボルトを設置する方法。
【請求項６８】
ロックボルトを設置する方法であって、前記方法が、
（a）ロックボルトを打ち込む段階において、ロックボルトが、第一と細長い第二部材を有し、前記細長い第一部材が、前記細長い第二部材の少なくとも部分的に長手方向の内側に配置され、前記細長い第一部材が、岩盤を貫通するようになっている第一端部と、駆動手段に装着するようになっている第二端部とを含んでおり、前記細長い第一部材と細長い第二部材との間のキャビティを介し、前記第一端部の領域で岩盤表面を通過して、第一流体を大量に流しながら岩盤面に、ロックボルトを打ち込む段階と、
（b）細長い、第三及び第四の部材を含む延長ロッドを提供する段階において、前記細長い第三部材が、少なくとも穿孔する回転方向で、前記細長い第一部材と前記細長い第三部材の間の相対的な回転をほぼ防止するために、前記細長い第一部材の前記第二端部と固定されるようになっている第一端部を含んでおり、前記細長い第四部材が、前記細長い第二部材の前記第二端部に装着するようになっている第一端部を含んでいる、延長ロッドを提供する段階と、
（c）前記細長い第一部材の前記第二端部に、前記細長い第三部材の前記第一端部を固定することによって、前記細長い第一部材の長さを延長する段階と、
（d）前記細長い第二部材の前記第二端部に、前記細長い第四部材の前記第一端部を取付けることによって、前記細長い第二部材の長さを延長する段階と、
（e）適切な深さに到達するまで、（a）、（b）、（c）及び（d）を繰返す段階と、
（f）細長い第一部材、細長い第二部材、延長ロッド及び岩盤表面のそれぞれの間に、グラウト材の流体を注入する段階と、
（g）グラウト材の流体が固化するまでの設定された時間を待つ段階と、
を含んでいる、ロックボルトを設置する方法。
【請求項６９】
前記第一流体が、洗浄用及び冷却用の流体であって、前記第一流体及びグラウト材の流体が、前記細長い第三部材と細長い第四部材との間のキャビティを介して、前記細長い第一部材と細長い第二部材との間のキャビティに流れてから、前記細長い第一部材の前記第一端部の領域で岩盤面を通過する、請求項68に記載の方法。
【請求項７０】
前記方法で使用される前記ロックボルトの前記細長い第二部材が、横方向に拡張するようになっている部分を追加的に含んでいて、（b）の段階の前に、前記細長い第二部材が、前記細長い第一部材の前記第一端部と相対的に長手方向に動かし、横方向に拡張するようになっている前記部分に横方向の拡張を引き起こして、岩盤面にボルトを保持する、請求項67から69のいずれか一項に記載の方法。
【請求項７１】
前記長手方向の移動が、前記第一と細長い第二部材の相対的な回転によって生じ、前記細長い第一部材の前記第一端部に向かって前記細長い第二部材を相対的に押して、横方向に拡張するようになっている前記部分の拡張を引き起こす、請求項70に記載の方法。
【請求項７２】
前記ロックボルトが、第一の回転方向で、回転して進出し、横方向に拡張するようになっている前記細長い第二部材の部分より横方向の寸法が大きい部分が、前記第一の回転方向の回転によって、横方向に拡張するようになっている前記細長い第二部材の部分と係合にいたる、請求項70又は71に記載の方法。
【請求項７３】
前記ロックボルトが、第一の回転方向で、回転して進出し、横方向に拡張するようになっている前記細長い第二部材の部分より横方向の寸法が大きい前記細長い第一部材の部分が、前記第一の回転方向と反対の第二の回転方向の回転によって、横方向に拡張するようになっている前記細長い第二部材の部分と係合にいたる、請求項70又は71に記載の方法。
【請求項７４】
前記ロックボルトが、前記細長い部材のさらなる相対的な回転によって、張力が作用する、請求項71から73のいずれか一項に記載の方法。
【請求項７５】
前記流体の少なくとも一つが、液体である、請求項67から74のいずれか一項に記載の方法。
【請求項７６】
前記流体が、前記細長い第一部材の前記第二端部の少なくとも一つのアクセス導管を介して、前記第一端部と前記第二端部との間のキャビティに注入され、前記細長い第一部材の前記第一端部の領域で、少なくとも一つのさらなるアクセス導管を介して、キャビティから流出し、その後に前記第二端部と岩盤面との間の第二キャビティを通過する、請求項67から75のいずれか一項に記載の方法。
【請求項７７】
前記方法で使用される前記ロックボルトの前記細長い第二部材が、低強度材料から構成されていて、（b）の段階の前に、前記細長い第二部材が、第一の回転方向の回転によって岩盤を貫通するようになっている前記細長い第一部材の部分と係合させて、前記細長い第二部材に作用する横方向力によって、前記細長い第二部材にひずみを生じさせ、岩盤面に前記細長い第二部材の少なくとも一つの部分を接触させる、請求項67に記載の方法。
【請求項７８】
穿孔の方法であって、前記方法が、
（a）ロックボルトを打ち込む段階において、前記ロックボルトが、第一と細長い第二部材を有し、前記細長い第一部材が、前記細長い第二部材の少なくとも部分的に長手方向の内側に配置され、前記細長い第一部材が、岩盤を貫通するようになっている第一端部と、駆動手段を備えるようになっている第二端部とを含んでいて、前記細長い第一部材と細長い第二部材と前記細長い第一部材の前記第一端部の領域の岩盤表面とのそれぞれの間に流体を大量に流しながら岩盤面の中に、ロックボルトを打ち込む段階と、
（b）細長い、第三及び第四の部材を含んでいる延長ロッドを提供する段階において、前記細長い第三部材が、少なくとも穿孔する回転方向で、前記細長い第一部材と前記細長い第三部材の間の相対的な回転をほぼ防止するために、前記細長い第一部材の前記第二端部と固定されるようになっている第一端部を含んでおり、前記細長い第四部材が、前記細長い第二部材の前記第二端部に装着されるようになっている第一端部を含んでいる、延長ロッドを提供する段階と、
（c）前記細長い第一部材の前記第二端部に、前記細長い第三部材の前記第一端部を回転して固定することによって、前記細長い第一部材の長さを延長する段階と、
（d）前記細長い第二部材の前記第二端部に、前記細長い第四部材の前記第一端部を取付けることによって、前記細長い第二部材の長さを延長する段階と、
（e）適切な深さに到達するまで、必要に応じて（a）、（b）、（c）及び（d）を繰返す段階と、
（f）前記岩盤から、前記少なくとも一つの延長ロッドと前記ロックボルトを取り除く段階と、
を含んでいる、穿孔の方法。
【請求項７９】
ロックボルトを設置する方法であって、前記方法が、
（a）前記岩盤面にロックボルトを打ち込む段階において、前記ロックボルトが、第一と細長い第二部材を含んでいて、前記細長い第一部材が、前記細長い第二部材の少なくとも部分的に長手方向の内側に配置され、前記細長い第一部材が、岩盤を貫通するようになっている第一端部と、駆動手段を装着するようになっている第二端部とを含んでおり、前記細長い第二部材が、横方向に拡張するようになっている部分を含んでいる、岩盤面にロックボルトを打ち込む段階と、
（b）前記細長い第一部材に関して、前記細長い第二部材の相対的な運動を引き起こし、横方向に膨張するようになっている部分に横方向の拡張をさせて、前記岩盤面に前記ボルトを保持する段階と、
を含んでいる、ロックボルトを設置する方法。
【請求項８０】
ロックボルトを設置する方法であって、前記方法が、
（a）前記ロックボルトを打ち込む段階において、前記ロックボルトが、細長い、第一と第二部材を含み、前記細長い第一部材が、前記細長い第二部材の少なくとも部分的に長手方向の内側に配置され、前記細長い第一部材が、岩盤を貫通するようになっている第一端部と駆動手段を装着するようになっている第二端部とを含んでいて、前記細長い第二部材が、横方向に拡張するようになっている部分を含んでいる、ロックボルトを打ち込む段階と、
（b）細長い、第三及び第四の部材を含んでいる延長ロッドを提供する段階において、前記細長い第三部材が、少なくとも穿孔する回転方向で、前記細長い第一部材と前記細長い第三部材との間の相対的な回転をほぼ防止するために、前記細長い第一部材の前記第二端部と固定されるようになっている第一端部を含み、前記細長い第四部材が、前記細長い第二部材の前記第二端部に装着されるようになっている第一端部を含んでいる、延長ロッドを提供する段階と、
（c）前記細長い第一部材の前記第二端部に、前記細長い第三部材の前記第一端部を回転して固定することによって、前記細長い第一部材の長さを延長する段階と、
（d）前記細長い第二部材の前記第二端部に、前記細長い第四部材の前記第一端部を装着することによって、前記細長い第二部材の長さを延長する段階と、
（e）適切な深さに到達するまで、必要に応じて（a）、（b）、（c）及び（d）を繰返す段階と、
（f）前記第一及び細長い第二部材の相対的な運動を引き起こして、横方向に膨張するようになっている部分に横方向の拡張をさせて、前記岩盤面に前記ボルトを保持する段階と、
を含んでいる、ロックボルトを設置する方法。
【請求項８１】
前記ボルトが、打ち込まれた後で、前記第一及び細長い第二部材の少なくとも一つを介して切断する段階をさらに含む、請求項67から77のいずれか一項に記載の方法。
【請求項８２】
前記細長い、第一及び第二部材は、前記ロックボルトが岩盤面に打ち込まれた後で、切断することが出来る材料から成る、請求項1から22、24から38及び40から43のいずれか一項に記載のロックボルト。
【請求項８３】
前記ロックボルトが、自動穿孔ロックボルトである、請求項1から43又は82のいずれか一項に記載のロックボルト。
【請求項８４】
前記細長い第一部材に装着されるプレートをさらに具備していて、前記プレートが第一の回転方向で前記装着手段と細長い第一部材の相対的な回転をほぼ防止するために配置される、請求項4及び10又はそれに従属する請求項のいずれか一項に記載のロックボルト。
【請求項８５】
自動穿孔ロックボルトであって、対向している第一と第二の端部及び両端部の間に位置するシャフトを具備する自動穿孔ロックボルトにおいて、前記第一端部が岩盤を貫通させ、前記第二端部が前記ボルトを回転させて前記ボルトを推進させるようになっていて、スリーブが前記シャフトに沿って周囲に位置し、通路が前記ボルトシャフトに沿って流体を通過させるために前記スリーブと前記シャフトの間に形成される、自動穿孔ロックボルト。
【請求項８６】
前記第一端部が、前記ボルトの軸から半径方向に、前記スリーブより大きな距離で広がる、少なくとも一つのドリルビットを組込んでいる、請求項85に記載の自動穿孔ロックボルト。
【請求項８７】
前記シャフトの端部に接続され、そこに前記少なくとも一つのドリル先端具を組込んでいるドリルビットをさらに具備する、請求項86に記載の自動穿孔ロックボルト。
【請求項８８】
前記スリーブが変形可能であって、変形した時に、前記スリーブが半径方向に前記ドリル先端具を越えて拡張する、請求項86又は87に記載の自動穿孔ロックボルト。
【請求項８９】
前記スリーブが、前記スリーブへの軸方向の力の作用で変形可能である、請求項88に記載の自動穿孔ロックボルト。
【請求項９０】
前記軸方向の力が、前記第一端部の方向である、請求項88に記載の自動穿孔ロックボルト。
【請求項９１】
前記ロックボルトが、少なくとも一つの係合する表面をさらに具備していて、且つ前記スリーブが、前記係合する表面にわたって、前記スリーブの相対的な運動によって変形される、請求項87から89のいずれか一項に記載の自動穿孔ロックボルト。
【請求項９２】
請求項87に従属する場合において、前記係合する表面が前記ドリルビットに配置される、請求項91に記載の自動穿孔ロックボルト。
【請求項９３】
前記スリーブが、軸方向の圧縮によって変形可能である、請求項90から92のいずれか一項に記載の自動穿孔ロックボルト。
【請求項９４】
前記スリーブが、前記スリーブの変形を容易にする、少なくとも一つの弱い領域を組込んでいる、請求項89から93のいずれか一項に記載の自動穿孔ロックボルト。
【請求項９５】
前記少なくとも一つの弱い領域が、前記スリーブに形成されるスリットの形状である、請求項94に記載の自動穿孔ロックボルト。
【請求項９６】
前記穿孔された穴に配置されている時に、前記ロックボルトを保持するようになっている固定装置をさらに具備する、請求項85から87のいずれか一項に記載の自動穿孔ロックボルト。
【請求項９７】
前記固定装置が、前記第一端部に直近に配置されて、前記スリーブに関して前記シャフトの軸方向の動きに応じて作動するようになっている、請求項96に記載の自動穿孔ロックボルト。
【請求項９８】
前記固定装置が、半径方向外側に向かって変位が可能な、少なくとも一つの拡張さやの形状である、請求項96から97のいずれか一項に記載の自動穿孔ロックボルト。
【請求項９９】
前記ロックボルトが、少なくとも一つの係合する表面を具備しいて、且つ前記少なくとも一つの拡張さやが、前記少なくとも一つの拡張さやの内表面にわたって、前記係合する表面の相対的な運動に対して作動するようになっている、請求項98に記載の自動穿孔ロックボルト。
【請求項１００】
シャフトの第二端部に隣接し、前記シャフトの周囲に位置するカラー部品をさらに具備する、請求項85から99のいずれか一項に記載の自動穿孔ロックボルト。
【請求項１０１】
前記カラー部品が、前記ボルトシャフトに沿って軸方向に変位が可能である、請求項100に記載の自動穿孔ロックボルト。
【請求項１０２】
前記スリーブが、前記シャフトに沿った前記カラー部品の動きに応じて、前記シャフトに沿って変位が可能である、請求項101に記載の自動穿孔ロックボルト。
【請求項１０３】
前記カラー部品が、前記カラー部品の相補的なめネジ山と係合する、前記シャフトのおネジ山によって前記シャフトに接続される、請求項101又は102のいずれかに記載の自動穿孔ロックボルト。
【請求項１０４】
前記ロックボルトが、前記カラー部品を用いて前記穿孔装置の接合によって、前記穿孔装置に接続されるようになっている、請求項100から103のいずれか一項に記載の自動穿孔ロックボルト。
【請求項１０５】
開口部が、前記スリーブの対向している端部の各々で又は隣接して、前記通路に備えられる、請求項85から104のいずれか一項に記載の自動穿孔ロックボルト。
【請求項１０６】
前記カラー部品を介して、流体が前記通路へ流入又は通路から流出することを可能にする、少なくとも一つの導管をさらに具備する、請求項100から105のいずれか一項に記載の自動穿孔ロックボルト。
【請求項１０７】
前記少なくとも一つの導管が、前記シャフトと前記カラー部品との間に形成される、請求項106に記載の自動穿孔ロックボルト。
【請求項１０８】
前記通路と前記ドリル先端具との間の流体の流れを容易にするために、前記第一端部に形成される少なくとも一つの導管をさらに具備する、請求項85から107のいずれか一項に記載の自動穿孔ロックボルト。
【請求項１０９】
前記ドリルの先端に広がる前記導管の少なくとも一部分が、前記ロックボルトの範囲内に配置される、請求項108に記載の自動穿孔ロックボルト。
【請求項１１０】
前記シャフトが、設置において荷重を受け、鋼製ロッドから形成される、請求項85から109のいずれか一項に記載の自動穿孔ロックボルト。
【請求項１１１】
前記スリーブが、プラスチックから形成される、請求項85から110のいずれか一項に記載の自動穿孔ロックボルト。
【請求項１１２】
自動穿孔ロックボルトが、前記第二端部の直近に配置される合口部材をさらに具備していて、前記合口部材が前記シャフトに沿って変位が可能で、合口表面を有しており、前記合口表面が、前記第一端部に向かって面し、前記ボルト軸から半径方向に前記ドリル先端具より大きく張り出している、請求項85から111のいずれか一項に記載の自動穿孔ロックボルト。
【請求項１１３】
前記ドリルシャフトとスリーブが、共に接続される複数の部分からそれぞれに形成される、請求項85から112のいずれか一項に記載の自動穿孔ロックボルト。
【請求項１１４】
対向している端部と前記両端部の間に広がる壁表面を有するビット本体を具備するドリルビットであって、少なくとも一つのドリル先端具が一つの端部に配置され、前記ビットが、その他の端部でドリルロッドに接続されるようになっており、少なくとも一つの導管が、前記壁表面から少なくとも一つのドリル先端具に位置する、ドリルビット。
【請求項１１５】
前記壁の表面が、前記一つの端部に向かって外に細くなる壁の部分を含んでいる、請求項114に記載のドリルビット。
【請求項１１６】
岩盤を安定化する方法であって、
穿孔する端部及び穿孔装置に接続させる反対側の端部を有する自動穿孔ロックボルトを用いて、前記岩盤に穴を穿孔する段階と、
前記ボルトシャフトの外表面に沿って流体を送ることによって、前記穴を穿孔する間、前記穿孔する端部に穿孔のための流体を供給する段階と、
前記岩盤を安定化するために前記穴の中に前記ロックボルトを固定する段階と、
を含む岩盤を安定化する方法。
【請求項１１７】
前記穿孔のための流体が、前記シャフトの周囲にシャフトに沿って配置されるスリーブによって画定される、内部通路の中を前記シャフトに沿って導かれる、請求項116に記載の方法。
【請求項１１８】
前記スリーブと前記穴の側面との間に、外部通路を形成する段階をさらに含む、請求項117に記載の方法。
【請求項１１９】
流体が、内部通路又は外部通路のいずれか一方を介して穿孔する端部に流されて、その他の通路を介して、前記穴から取り除かれる、請求項118に記載の方法。
【請求項１２０】
グラウト材が、前記ロックボルトを前記岩盤に固定するために、前記穴に導入される、請求項116から118のいずれか一項に記載の方法。
【請求項１２１】
前記ロックボルトが、前記穴の中にグラウト材を導入する前に、前記穴の中で当初からしっかり固定される、請求項120に記載の方法。
【発明の詳細な説明】
【技術分野】
【０００１】
本発明は、採鉱業やトンネル掘削業において、使用に適するロックボルトに関する。
【背景技術】
【０００２】
天盤や壁の支持は、採鉱及びトンネル掘削作業の重要な側面である。坑道及びトンネルの、壁及び天盤は岩盤層から成っており、崩壊の可能性を回避するために強化されなければならない。ロックボルトは、岩盤層を強化するために広く使用されている。この目的のために岩盤層を貫いて横方向に穿孔された穴の中で、ロッドはしっかり固定され、しばしば張力が作用する。一般的に、ボルトは樹脂又はセメントをベースにしたグラウト材の流体を使用して固定され、グラウト材の流体はロッドの周囲に注入されて機能する。
【０００３】
自動穿孔ロックボルトは、穿孔作業と穿孔された穴の中へボルトを挿入する作業を組合わせたものである。自動穿孔ロッドボルトは、一般的に、管状の鋼製部材の端部に取り付けられる穿孔用先端具を有しており、これにより穴の穿孔とボルトの挿入が同時に進行する。
【０００４】
上述の背景技術についての議論は、本発明に関する状況の説明の中に含まれる。引用された文書の又はその他の素材の何れもが、オーストラリアにおいて、この明細書の請求項のいずれか一項の優先日に、すでに出版され、周知であり、又は一部は常識であるものは無い。
【発明の開示】
【発明が解決しようとする課題】
【０００５】
自動穿孔ロックボルトは、採鉱業において、一般的には使用されていない。それは洗浄用の及びグラウト材の流体の利用が可能、並びに岩盤の補強のために要求される構造強度の両方を提供するために使用する、鋼製管が高価なことによる。
【課題を解決するための手段】
【０００６】
この明細書の記述と特許請求の範囲を通して、「comprise」という言葉とその変形、例えば「comprising」及び「comprises」は、その他の付加体、段階体又は完全体の排除することを意図しているものではない。
【０００７】
最初の態様において、本発明は、細長い、第一と第二部材から成るロックボルトを提供する。細長い第一部材は、岩盤を貫通するようになっている第一端部と、駆動手段を装着するようになっている第二端部を有していて、細長い第一部材は、細長い第二部材の少なくとも部分的に長手方向の内部に配置される。
【０００８】
一般的に、細長い第一部材の第一端部は、ドリルビット手段を包含する。
細長い第一部材の第一端部は、岩盤の壁に穿孔するために適したタングステン又は炭化チタニウムのような硬化した物質から構成されてもよい。
【０００９】
第二の態様において、本発明は、第一と細長い第二部材からなるロックボルトを提供し、細長い第一部材は、岩盤を貫通する手段を受容するようになっている第一端部と、駆動手段を装着するようになっている第二端部を含んでいて、細長い第一部材は、細長い第二部材の少なくとも部分的に長手方向の内側に配置される。
手段はまた、細長い第二部材に関係する細長い第一部材の運動を制限するために提供されてもよい。
【００１０】
ある実施形態おいて、細長い第二部材は、少なくともその長さの一部に沿って、横方向に拡張するようになっている。
【００１１】
一つの実施形態において、細長い第一部材は、横方向に拡張するようになっている、細長い第二部材の少なくとも部分よりは大きな横方向の寸法の部分から成る。
【００１２】
別の実施形態において、細長い第二部材は、少なくとも横方向に拡張するようになっている部分からなり、岩盤を貫通するための手段は、横方向に拡張するようになっている、細長い第二部材の少なくとも部分よりは大きな横方向の寸法の部分から成る。
【００１３】
ある実施形態において、装着手段は、駆動手段を装着するために、細長い第一部材の第二端部に備えられる。
【００１４】
さらなる実施形態において、細長い第一部材の第一端部への装着方法の改良について、装着方法は、直接又は間接のいずれであっても、横方向への拡張に対して適応する細長い第二部材の部分に、横方向の力が生じるように配置されて、故に細長い第二部材は、横方向に拡張する。
【００１５】
細長い第一部材は、例えば、円形断面を有する中空ロッドでも、円形断面を有する中実ロッドでも、非円形断面を有する中空ロッドでも、又は非円形断面を有する中実ロッドであってもよい。さらに、細長い第一部材は、軸方向に滑らかな外側表面でも、又はそれに代わるものとして、ざらざらした又はでこぼこした表面を特徴としてもよく、ざらざらした、又はでこぼこした表面では、グラウト材と細長い第一部材との間の付加的な接合を提供する。
【００１６】
細長い第二部材は、例えば円形断面を有する中空ロッドでも、非円形断面を有する中空ロッドでもよい。細長い第二部材の内部と外部の表面は、滑らかであり、又はそれに代わるものとして、ざらざらした又はでこぼこした表面であってもよく、ざらざらした又はでこぼこした表面は、グラウト材と細長い第二部材との間、及び細長い第二部材と岩盤面との間に付加的な接合を提供する。さらに、細長い第二部材はグラウト流体と細長い第二部材との間に、付加的な接合を提供するために波形であってもよく、波板は、スリーブの内表面と外表面との間で圧力の伝達を提供する。波板は、螺旋状又は放射状であってもよくて、波板の幅は、細長い第二部材の半径に比例してもよい。
【００１７】
細長い第一部材は、構造部材としての役割に適した、例えば鋼のような、高い引っ張り強度の材料から形成されてもよい。
細長い第一部材は、構造部材としての、及び一度、ボルトが穿孔によって岩盤面に配置されたとしても切り離すことが出来る構造部材としての両方の役割に適した、例えばガラス繊維のような、高い引っ張り強度の材料から形成されてもよい。これは、ボルトで固定された岩盤面を、その後、掘削することが可能になる。
【００１８】
ある実施形態において、第一と細長い第二部材は、細長い第二部材の方向に細長い第一部材の第一端部が長手方向に進出することによって、横方向に拡張するようになっている細長い第二部材の一部分が拡張するように、配置されている。
【００１９】
好ましくは、細長い第二部材は、少なくとも一つの拡張さや（expansion shell）を含む。
細長い第二部材は、例えば金属、又は複数の細長い金属部材及び安価なプラスチック管の複合体のような材料から構成されてもよく、拡張さやとの係合を可能にするために、十分な長手方向の軸剛性を有している。これに代わるものとして、細長い第二部材は、不連続な鋼製の端部カラーを備えるプラスチック管を含んでもよい。
【００２０】
ある実施形態において、少なくとも一つの拡張さやは、装着手段が細長い第一部材の第一端部に向かって進出する時に、横方向に拡張する。
【００２１】
別の実施形態において、拡張さやは、細長い第一部材の第一端部が拡張さやに向かって進出する時に、横方向に拡張するように配置される。
【００２２】
別の実施形態において、拡張さやは、拡張さやが細長い第一部材の第一端部に向かって進出する時に、拡張するように配置される。
【００２３】
ある実施形態において、拡張さやが拡張してない時の横方向の寸法は、細長い第一部材よりも横方向の寸法が小さい部分を含んでいて、長手方向に進出して細長い第一部材と接触する。この接触によって引き起こされた横方向の力は、ある実施形態において、一つ又はそれ以上の拡張さやの拡張を引き起こす。
【００２４】
導管が、細長い第一部材と細長い第二部材との間に備えられてもよく、それを介して、穿孔作業のための洗浄用流体が通過し、グラウト材が注入されて、追加的な補強と腐食の予防が提供される。
細長い第一部材の第一端部は、材料の流入と流出を可能にする１つ又はそれ以上のアクセス導管を含んでもよい。
細長い第二部材の第二端部は、材料の流入と流出を可能にする１つ又はそれ以上のアクセス導管を含んでもよい。
アクセス導管と細長い第一部材は、鍛造されてもよい。
【００２５】
ある実施形態において、細長い第一部材の第一端部は、ドリルビット手段を含み、ドリルビット手段は、穿孔作業とグラウト作業の間に、材料の流入と流出を可能にするための少なくとも一つのアクセス導管を含んでもよい。
【００２６】
細長い第一部材と細長い第二部材との間に広がる、キャビティが備えられてもよく、それは、細長い第一部材の第一端部と細長い第一部材の第二端部との間に、流体が流れることを可能にする。キャビティは、細長い第一部材と細長い第二部材との間の長手方向に広がる。キャビティは環状であってもよい。
【００２７】
細長い第二部材は、金属、又は複数の細長い金属部材と廉価なプラスチック管の複合体のような材料を含んでもよい。代替として、細長い第二部材は、プラスチック管を含んでもよい。好ましくは、プラスチック管は、ポリエチレンのような長寿命のプラスチックから作られる。プラスチックは、非腐食性であり、もしもグラウト材の中で亀裂が生じた場合、プラスチック管は、亀裂の伸展を止めるバリアとして作用し、ロックボルトの寿命を縮めることになるボルトの浸水及び腐食を不可能にする。
【００２８】
ある実施形態において、細長い第一部材の第二端部は、細長い第三部材の第一端部にさらに装着するようになっていて、細長い第二部材は、細長い第四部材の第一端部に装着するようになっている第二端部を含んでいる。
【００２９】
一般的に、細長い第一部材は、細長い第三部材に固定されるものとして配置され、二つが共に固定された時に、少なくとも一つの回転方向で、二者間の相対的な回転をほぼ防止する。
ロックボルトは、付加的に細長い第三部材と細長い第四部材を含んでいてもよい。
【００３０】
駆動手段は、取り外し可能で装着手段に連結をされる回転駆動手段を含んでもよく、第一の回転方向で岩盤を介して回転してドリルビット手段を進出するためであり、横方向に拡張するようになっている細長い第二部材の一部分よりも大きな横方向の寸法の細長い第一部材の部分、又は岩盤貫通手段の部分を、第一の回転方向で、横方向に拡張するようになっている細長い第二部材の一部分と係合するためである。
【００３１】
代替として、駆動手段は、装着手段に取り外し可能な状態で連結された回転駆動手段を含んでいて、第一の回転方向で、岩盤を介して回転してドリルビット手段を進出するためであり、横方向に拡張するようになっている細長い第二部材の一部よりも大きな横方向の寸法の細長い第一部材の一部分、又は岩盤貫通手段の部分を、第二の回転方向で、横方向に拡張するようになっている細長い第二部材の一部分と係合するためである。
【００３２】
一般的に、グラウト材は、穿孔作業及び細長い第二部材の横方向の拡張の後で、細長い第一部材と細長い第二部材との間のキャビティに注入される。
【００３３】
第三の態様において、本発明は、ロックボルト延長手段を提供するものであり、ロックボルト延長手段が、細長い、第三と第四の部材を含んでいて、細長い第三部材は、以前の態様のいずれか一つに従うロッドボルトの細長い第一部材の第二端部に装着するようになっている第一端部と、駆動手段に装着するようになっていて、さらに細長い第五部材の第一端部に装着するようになっている第二端部を含んでいる。そして、細長い第四部材は、以前の態様のいずれか一つに従うロックボルトの細長い第二部材の第二端部に装着するようになっている第一端部と細長い第六部材の第一端部に装着するようになっている第二端部を含んでいる。そして、細長い第三部材は、細長い第四部材の少なくとも部分的に長手方向の内側に配置される。
【００３４】
キャビティが備えられてもよく、それは細長い第三部材と細長い第四部材との間の長手方向に広がり、細長い第三部材の第一端部と第二端部との間に流体が流れることを可能にする。
【００３５】
ある実施形態において、細長い第三部材と細長い第四部材は同様のものであり、細長い第四部材と細長い第六部材は同様のものである。
【００３６】
第四の態様において、本発明は、細長い、第一と第二部材及び細長い第一部材の第一端部によって受容されるようになっている、岩盤貫通手段からなるロックボルトキットを提供する。細長い第一部材は、岩盤を貫通する手段を受容されるようになっている第一端部と、駆動手段を装着するようになっている第二端部を含んでおり、細長い第一部材は、細長い第二部材の少なくとも部分的に長手方向の内側に配置するようになっている。
【００３７】
ある実施形態において、細長い第二部材は、その長さの少なくとも一部分に沿って、横方向に拡張するようになっている。
【００３８】
ある実施形態において、細長い第一部材は、横方向に拡張するようになっている細長い第二部材の一部分よりも大きな横方向の寸法を持つ部分を含んでいる。
【００３９】
別の実施形態において、岩盤貫通手段は、横方向に拡張するようになっている細長い第二部材の一部分よりも大きな横方向の寸法を持つ部分を含んでいる。
【００４０】
さらに代替として、装着手段は、駆動手段を装着するための細長い第一部材の第二端部に備わり、細長い第一部材の第一端部に向かって装着手段の進出において、装着手段が、横方向に拡張するようになっている細長い第二部材の一部分に、直接又は間接のいずれかの横方向の力を生ずるように配置され、それ故、横方向の拡張を生じる。
【００４１】
ある所望される実施形態において、装着手段が、細長い第一部材のネジ山の部分に設置される、めネジ山のカラーを含んでいる。
【００４２】
細長い第二部材は、例えば、円形断面を有する中空のロッド又は非円形断面を有する中空のロッドであり、内表面と外表面を有している。細長い第二部材の内表面と外表面は、滑らかであっても、代替として、ざらざらした又はでこぼこした表面であってもよく、ざらざらした又はでこぼこした表面は、グラウト材と細長い第二部材との間に、付加的な接合を提供する。
【００４３】
細長い第二部材は、その内表面と外表面の間で圧力の伝達を提供するために波形にしてもよい。
【００４４】
細長い第一部材は、構造部材としての役割に適した、鋼のような高い引っ張り強度の素材から形成されてもよい。
細長い第一部材及び／又は細長い第二部材は、ガラス繊維のような高い引っ張り強度の素材から形成されてもよく、構造部材として、及びひとたびボルトが穿孔によって岩盤面に配置されても切り離すことが出来る部材として、両方の役割に適している。ボルトによって固定された岩盤面を、その後に穿孔することが可能となる。
【００４５】
望ましくは、細長い第二部材は、少なくとも一つの拡張さやを包含する。
【００４６】
ロックボルトキットのその他の好ましい特徴は、この発明の上述の態様のロックボルトに関して提供されてもよい。
【００４７】
五番目の態様において、本発明は、発明の第二の態様に従う、ロックボルトに岩盤貫通手段を装着するための切断要素及び手段を含む岩盤貫通手段を提供する。岩盤貫通手段はまた、本発明の前述の態様のいずれか一つに従う、ロックボルトの細長い第二部材を延長するための手段を含んでもよく、細長い第一部材の第一端部が、岩盤貫通手段を受容するようになっている。
【００４８】
別の実施形態において、岩盤貫通手段が、細長い第二部材の長手方向の運動を制限するようになっている、細長い第二部材の一部分よりも大きな横方向の寸法の一部分を含んでいる。
【００４９】
プレートが、細長い第一部材に装着されてもよく、プレートは、第一の回転方向で、装着手段と細長い第一部材との相対的な回転を、ほぼ防止するために配置される。
【００５０】
六番目の態様において、本発明は穿孔する方法を提供していて、方法は、（a）細長い第一部材と細長い第二部材との間、及び細長い第一部材の第一端部の領域の岩盤面に、第一流体を大量に流しながら、岩盤面に穿孔部材を打ちこむ工程と（b）所望する深さの穴が穿孔された時点で、岩盤から穿孔部材を除去する工程とからなっていて、穿孔部材は、細長い、第一と第二部材を含んでいて、細長い第一部材は、細長い第二部材の少なくとも部分的に長手方向の内側に配置され、細長い第一部材は岩盤を貫通するようになっている第一端部と、駆動手段を装着するようになっている第二端部とを含んでいる。
【００５１】
流体は、冷却用及び／又は洗浄用の流体であってもよく、それは、液体(例えば水）又はガス(例えば空気）であってもよい。
流体は、一つ又はそれ以上のアクセス導管を介して注入されてもよい。
【００５２】
細長い第一部材は、岩盤を貫通する手段、例えばドリルビットを受容するようになっている第一端部を含むこともある。これは、摩損や特定の条件に適応するために、ドリルビットを交換することが可能となる。
【００５３】
七番目の態様において、本発明は、ロックボルトの装着する方法を提供していて、方式は、（a）細長い第一部材と細長い第二部材との間のキャビティを介して、細長い第一部材の第一端部の領域で岩盤面を通過する第一流体を大量に流しながら、岩盤表面の中にロックボルトを打ち込む工程と、（b）細長い第一部材と細長い第二部材と岩盤表面とのそれぞれの間にグラウト材の流体を注入する工程と、（c）グラウト材の流体が固化するまでの設定された時間を待つ工程からなる。ロックボルトは、細長い第一部材と細長い第二部材からなり、細長い第一部材は、細長い第二部材の少なくとも部分的に長手方向の内側に配置される。細長い第一部材は、岩盤を貫通するようになっている第一端部と、手段を駆動するために装着するようになっている第二端部とを含む。
【００５４】
八番目の態様において、本発明は、ロックボルトの取付け方法を提供する。その方法は、（a）（b）（c）（d）（e）（f）（g）の各工程から成っている。（a）は、細長い第一部材と細長い第二部材との間のキャビティを介して、細長い第一部材の第一端部の領域で岩盤面を通過する第一流体を大量に流しながら、岩盤表面の中にロックボルトを打ち込む工程であって、ロックボルトは細長い第一部材と細長い第二部材を有しており、細長い第一部材は、細長い第二部材の少なくとも部分的に長手方向の内側に配置され、細長い第一部材は、岩盤を貫通するようになっている第一端部と、駆動手段を装着するようになっている第二端部を含む。（ｂ）は、細長い第三部材と細長い第四部材とからなる延長ロッドを提供する工程である。細長い第三部材は、少なくとも穿孔作業の回転方向で、細長い第一部材と細長い第三部材の間の相対的な回転をほぼ防止するために、細長い第一部材の第二端部と固定するようになっている第一端部を含んでいる。細長い第四部材は、細長い第二部材の第二端部に装着するようになっている第一端部を含んでいる。（c）は、細長い第三部材の第一端部を細長い第一部材の第二端部に固定することによって、細長い第一部材の長さを延長する工程である。（d）は、細長い第四部材第一端部を細長い第二部材の第二端部に装着することによって細長い第二部材の長さを延長する工程である。（e）は、（a）、（b）、（c）、（d）の工程を、適切な深さに到達するまで繰り返す工程である。（f）は、細長い第一部材と細長い第二部材と延長ロッドと岩盤面のそれぞれの間に、グラウト材の流体を注入する工程である。（g）は、グラウト材の流体が固化するまでの設定された時間を待つ工程である。
【００５５】
方法が、細長い第一部材を有するロックボルトを使用することをさらに含み、細長い第一部材は、岩盤を貫通するようになっている第一端部と、横方向に拡張するようになっている細長い第二部材の部分よりも大きな横方向の寸法の部分をまた含んでいる。
【００５６】
方式は、めネジ山が切られたカラーを介して、ロックボルトに張力を作用する工程をさらに含むこともある。
【００５７】
第一流体は、冷却用と洗浄用の流体であってもよく、流体は一つ又はそれ以上のアクセス導管を介して注入されてもよい。
【００５８】
方法は、流体を細長い第三部材と細長い第四部材との間に広がるキャビティを介して、細長い第一部材と細長い第二部材との間にあるキャビティへ、及び細長い第一部材の第一端部の領域の岩盤面を通過して運ぶことをさらに含むこともある。
【００５９】
方法で使用されたロックボルトの細長い第二部材は、横方向に拡張するようになっている部分を追加的に含んでもよい。この場合に、（b）の工程より以前に、細長い第二部材は、細長い第一部材の第一端部に関して長手方向に動かされてもよく、横方向に拡張するようになっている部分を横方向に拡張させ、岩盤面にボルトを保持する。長手方向の運動は、細長い第一部材と細長い第二部材の相対的な回転によって引き起こされ、これによって、細長い第一部材と細長い第二部材の上のネジ山が、細長い第二部材を細長い第一部材の第一端部の方向へ押すことになる。
【００６０】
長手方向の運動は、細長い第一部材と細長い第二部材の相対的な回転により引き起こされてもよく、細長い第二部材を細長い第一部材の第一端部の方向に押して、横方向に拡張するようになっている部分が拡張する。
【００６１】
方法で使用されるロックボルトは、第一の回転方向で、回転して進出してもよく、横方向に拡張するようになっている細長い第二部材の部分よりも大きな横方向の寸法の部分が、第一の回転方向の回転によって横方向に拡張するようになっている細長い第二部材の部分と係合される。
【００６２】
代替として、方法で使用されるロックボルトは、第一の回転方向で、回転して進出してもよくて、横方向に拡張するようになっている細長い第二部材の部分よりも大きな横方向の寸法の部分が、第一の回転方向とは逆の第二の回転方向の回転によって、横方向に拡張するようになっている細長い第二部材の部分と係合される。
ロックボルトは、これにより、細長い部材のさらに相対的な回転によって張力を作用させてもよい。
【００６３】
流体は、液体（例えば、水）又は気体(例えば、空気）であってもよい。
流体は、細長い第一部材の第二端部の一つ又はそれ以上のアクセス導管を介して注入されてもよい。
【００６４】
ある実施形態において、流体は、細長い第一部材の第二端部の中の一つ又はそれ以上のアクセス導管を介して細長い第一部材と細長い第二部材との間のキャビティに注入され、細長い第一部材の第一端部の領域の、一つ又はそれ以上さらなるアクセス導管を介して排出されて、細長い第二部材と岩盤面との間の第二キャビティを通過する。
【００６５】
方法で使用されるロックボルトの細長い第二部材が、低強度材料から構成されて、この実施形態で、（b）の工程の前に、細長い第二部材が、第一回転方向の回転によって岩盤を貫通するようになっている細長い第一部材の部分と係合して、細長い第二部材に作用する横方向の力によって、細長い第二部材にひずみを生じさせ、細長い第二部材の少なくとも一つの部分を岩盤面に接触させる。
【００６６】
本発明の九番目の態様に従って、穿孔作業の方法を提供する。方法は、（a）（b）（c）（d）（e）（f）の各工程から成っている。（a）が、ロックボルトを打ち込む工程で、ロックボルトが、第一と細長い第二部材を有し、細長い第一部材が、細長い第二部材の少なくとも部分的に長手方向の内側に配置され、細長い第一部材が、岩盤を貫通するようになっている第一端部と、駆動手段を装着するようになっている第二端部とを含んでおり、細長い第一部材、細長い第二部材、及び細長い第一部材の第一端部の領域の岩盤表面のそれぞれの間に、流体を大量に流しながら岩盤面の中に、ロックボルトを打ち込み、（b）が、細長い、第三及び第四の部材を含む延長ロッドを提供する工程で、細長い第三部材が、少なくとも穿孔する回転方向で、細長い第一部材と細長い第三部材との間の相対的な回転をほぼ防止するために、細長い第一部材の第二端部と固定されるようになっている第一端部を含み、細長い第四部材が、細長い第二部材の第二端部に装着するようになっている第一端部を含み、（c）が、細長い第一部材の第二端部に、細長い第三部材の第一端部を回転的に固定することによって、細長い第一部材の長さを延長する工程で、（d）が、細長い第二部材の第二端部に、細長い第四部材の第一端部を装着することによって、細長い第二部材の長さを延長する工程で、（e）が、適切な深さに到達するまで、必要に応じて（a）、（b）、（c）及び（d）を繰返す工程で、（f）が、岩盤から、前記少なくとも一つの延長ロッドと前記ロックボルトを取り除く工程である。
【００６７】
十番目の態様に従って、ここではロックボルトを設置する方法が提供される。この方法は（a）（b）の各工程からなる。（a）が、岩盤面にロックボルトを打ち込む工程で、ロックボルトが、第一と細長い第二部材を含み、細長い第一部材が、細長い第二部材の少なくとも部分的に長手方向の内側に配置され、細長い第一部材が、岩盤を貫通するようになっている第一端部と、駆動手段を装着するようになっている第二端部とを含んでいて、（b）が、細長い第一部材と細長い第二部材の相対的な運動を引き起こす工程で、横方向に拡張するようになっている部分を横方向に拡張して、ボルトを岩盤面に保持する。
【００６８】
十一番目の様態に従って、ロックボルトを設置する方法が提供される。この方法は、（a）（b）（c）（d）（e）（f）の各工程から成っている。（a）が、岩盤面にロックボルトを打ち込む工程で、ロックボルトが、第一と細長い第二部材を含み、細長い第一部材が、岩盤を貫通するようになっている第一端部と、駆動手段を装着するようになっている第二端部とを含み、細長い第二部材が、横方向に拡張するようになっている部分を含んでいて、（b）が、細長い、第三及び第四の部材を含んでいる延長ロッドを提供する工程で、細長い第三部材が、少なくとも穿孔する回転方向で、細長い第一部材と細長い第三部材との間の相対的な回転をほぼ防止するために、細長い第一部材の第二端部と固定されるようになっている第一端部を含み、細長い第四部材が、細長い第二部材の第二端部に装着するようになっている第一端部を含んでいて、（c）が、細長い第一部材の第二端部に、細長い第三部材の第一端部を回転して固定することによって、細長い第一部材の長さを延長する工程で、（d）が、細長い第二部材の第二端部に、細長い第四部材の第一端部を装着することによって、細長い第二部材の長さを延長する工程で、（e）が、適切な深さに到達するまで、必要に応じて（a）、（b）、（c）及び（d）を繰返す工程で、（f）が、第一及び細長い第二部材の相対的な運動を引き起こす工程で、横方向に拡張するようになっている部分を横方向に拡張させて、ボルトを岩盤表面に保持する。
【００６９】
十二番目の態様に従って、本発明は、対向している第一と第二の端部及び両端部の間に位置するシャフトを有する自動穿孔ロックボルトを提供しており、第一端部が、岩盤を貫通するようになり、第二端部が、ボルトを回転してボルトの推進を可能にする穿孔装置に接続されるようになっていて、スリーブが、シャフトに沿って周囲に広がり、及び通路が、流体をボルトシャフトに沿って通過させることを可能にするため、スリーブとシャフトとの間に形成される。
この配列によって、穿孔のための流体は、穿孔作業中に岩盤面から部材の洗浄を支援するために、ボルトシャフトに沿って及び第一端部を横切って通過させもよい。この流体は、濡れた穿孔工程では、水か又は同様の液体でよく、真空穿孔工程では、空気であってもよい。また、流体は第一端部まで通路に沿って押し出されてもよいし、又はそれに代わって、第一端部から第二端部に向かって排除されてもよい。
【００７０】
ある実施形態において、第一端部は、ボルトの軸から半径方向にスリーブより大きな距離を占める、少なくとも一つのドリル先端具を組込んでいる。この配置によって、使用中に、外側の通路は穿孔された穴とスリーブとの間に形成される。外側の通路の形成は、穿孔された穴の中で、循環路を促進し、この循環路において流体は一つの通路を介して第一端部へ方向付けられ、そして、穴を出るために第一端部からその他の通路に沿って進む。また、通路は、穿孔された穴へグラウト材を誘導するために使用され、さらに岩盤へボルトの適正な接着を促進するために満杯にさせることも出来る。
【００７１】
別の実施形態において、自動穿孔ロックボルトは、シャフトの端部に接続されるドリルビットをさらに含んでいて、そこにドリル先端具を組込む。
【００７２】
スリーブは、スリーブの第一端部の方向へ軸方向の力が作用して変形されてもよく、そのように変形した場合に、スリーブはドリルの先端具を越えて半径方向に延伸する。
【００７３】
ロックボルトは、係合表面をさらに包含してもよく、スリーブは、係合表面を横切るスリーブの相対的な運動で変形される。
あるいは、係合面はドリルビットに位置してもよい。
スリーブは軸方向の圧縮の下で、変形するかもしれないし、又はスリーブは、スリーブの変形を容易にする少なくとも一つの弱い領域を組込んでもよい。
少なくとも一つの弱い領域は、スリーブの中に形成されるスリットの形状であってもよい。
【００７４】
自動穿孔ロックボルトは、さらに固定装置を含んでおり、固定装置は穿孔された穴の中に配置された時、ロックボルトを保持するするようになっている。
【００７５】
ある実施形態において、固定装置は、第一端部の直近に位置し、スリーブに関してシャフトの軸方向の運動に呼応して作動するようになっている。
【００７６】
ある実施形態において、固定装置は、半径方向に外に向かって変位可能な、少なくとも一つの拡張さやの形状である。
一つの形状において、ロックボルトは係合表面を組込んでいて、少なくとも一つの拡張さやは、少なくとも一つの拡張さやの内側表面を横切る係合表面の運動に作動するようになる。
【００７７】
その他の実施形態においては、自動穿孔ロックボルトは、第二端部に隣接するシャフトの周囲に位置して、ボルトシャフトに沿って軸方向に変位することが出来るカラー部品を、さらに含んでいる。
スリーブは、シャフトに沿ったカラー部品の運動に呼応して、シャフトに沿って変位することが出来てもよい。
カラー部品は、シャフトのおネジ山によってシャフトに接続されてもよく、おネジ山は、補完するカラー部品のめネジ山と螺合する。
【００７８】
ある実施形態において、ロックボルトは、カラー部品を用いる穿孔装置の接続によって、穿孔装置に接続するようになっている。
【００７９】
ボルトシャフトに沿って流体が通過できるようにするために、通路に開口部が備えられる。ある形態においては、これらの開口部は、スリーブのそれぞれの端部に、又はそれらに隣接して備えられる。さらに、カラー部品を介して、流体を通路に導入することが出来るように、導管が備えられてもよい。別の導管が、通路とドリル先端具との間で流体の流れを容易にするために、第一端部に隣接して形成されてもよい。
ドリル先端具まで延びている導管の少なくとも一部分は、ロックボルトの範囲内に配置されてもよい。
【００８０】
ある実施形態において、自動穿孔ロックボルトのシャフトは、ロックボルトの設置において荷重がかかり、鋼製ロッドによって形成されてもよい。
自動穿孔ロックボルトのスリーブは、プラスチックによって形成されてもよい。
【００８１】
ある実施形態において、自動穿孔ロックボルトは、第二端部の直近に配置される合口部材をさらに含んでいて、合口部材はシャフトに沿って変位することが可能であり、第一端部の方向に面していて、ドリル先端具よりも大きな距離で、ボルト軸から半径方向に突き出ている合口表面を有する。
【００８２】
別の実施形態において、自動穿孔ロックボルトのドリルシャフトとスリーブは、共に接続される複数の部品から、それぞれ形成される。
【００８３】
十三番目の態様において、本発明はドリルビット提供し、ドリルビットが、ビット本体と、少なくとも一つのドリル先端具と、ビットとを包含していて、ビット本体が対向している端部と、両端部の間に広がっている壁表面を有し、少なくとも一つのドリル先端具が、一つの端部に配置され、ビットが、その他の端部でドリルロッドに接続されるようになっていて、少なくとも一つの導管が、壁表面から少なくとも一つのドリル先端具に広がるドリルビットである。
ドリルビットは、一つの端部に向かって外面的に先細りである壁表面から壁の一部をさらに含んでもよい。
【００８４】
発明の十四番目の態様に従って、岩盤を安定させるための方法が提供される。岩盤を安定化する方法は、穿孔する端部及び穿孔装置に接続させる反対側端部を有する、自動穿孔ロックボルトを使用して岩盤に穴を穿孔する工程と、ボルトシャフトの外表面に沿って流体を送ることによって、穴を穿孔作業中に、穿孔する端部に穿孔のための流体を供給する工程と、岩盤を安定化するために穴の中にロックボルトを固定する工程とである。
穿孔のための流体は、シャフトの周囲に、シャフトに沿って配置されるスリーブによって画定される通路に、シャフトに沿って導かれてもよい。
【００８５】
さらなる通路が、スリーブと穴の側面との間に形成されてもよく、穿孔するための流体が、一つの通路を介して穿孔する端部に流されて、その他の通路を介して、穴から除かれる。
【００８６】
穿孔のための流体は、第二端部から穿孔するための端部へポンプで送られてもよく、又は流体が、吸引処理で第二端部の方向に排除されてもよい。
【００８７】
グラウト材は、岩盤にロックボルトを固定するために、穴の中へ導入されてもよい。
ロックボルトは、グラウト材を穴の中へ導入する前に、最初に、穴の中にしっかりと固定されてもよい。
【００８８】
本発明の実施形態は、例証のみの方法で、添付された図面を参照してここに述べられる。図面と実施形態の詳細が、本発明の上述の一般性に取って代わるものでないということは、理解されるべきである。
【発明を実施するための最良の形態】
【００８９】
図1aは、細長い第一部材又はシャフト、１１及び細長い第二部材又はスリーブ、１２を含む、本発明の実施形態のロックボルト１０を示している。
細長い第一部材１１は、細長い第二部材１２の少なくとも部分的に長手方向の内側に配置されている。細長い第一部材１１は、第一端部１３と第二端部１４を含んでいる。第一端部１３はボルト１０の第一端部であり、手段の形態においては、本実施形態の岩盤を貫通するようになっているドリルビットである。第二端部１４はボルトの第二端部であり、おネジ山が切られ、カラー部品１５を装着する。カラー部品１５はめネジ山又は補完する内側のネジ山を有し、めネジ山は、図1bに示される六角形の係合領域によって、駆動手段を装着するようになっている。細長い第二部材１２は、拡張さや１６の形状において、固定装置の設備を介してその長さの少なくとも一部分に沿って、横方向に拡張するようになっている。
【００９０】
図2に示されるように、操作中に、図1のロックボルト１０は、穿孔装置（図示されていない）を、めネジ山が切られたカラー部品１５に取り付けて、カラー部品１５と細長い第一部材１１とドリルビット手段１３を回転させることによって、岩盤壁に打ち込まれる。細長い部材１１と１２との間の、導管、キャビティ、又は通路、１７が備えられ、穿孔作業の間、水又は空気を運ぶために使用される。これにより、穿孔による残留物は洗い流され、ドリルビット手段１３の温度を下げる。穿孔作業とロックボルト１０の岩盤への挿入の後に、内部にネジ山が切られたカラー部品１５は、反対に回転され、めネジ山が切られたカラー部品１５に補完するおネジ山に沿って、細長い第一部材１１の第一端部１３に向かって進出する。軸方向の力によるカラー部品１５の進出は、細長い第二部材１２の第一端部に向かって同一線上に進出することになる。細長い第二部材１２の進出は、本実施形態では拡張さや１６となっている固定装置が、拡張さやの非拡張時の横方向の寸法より大きな横方向の寸法を有する、細長い第一部材の一部分と係合に至る。この係合によって生じた横方向の力は、拡張さや１６の横方向に拡張した形状となって変形を生じ、それ故、ロックボルト１０をドリルビット手段１３によって穿孔された穴に締め付けて動けなくする。拡張さや１６の形状をした固定装置は、細長い第二部材１２にスリット形状の弱い部分を少なくとも一つ組込んでいる。細長い第一部材１１の第二端部１４は、ネジ山が切られたカラー部品１５が外れないように（例えば、細長い第一部材１１の端部を介して装着された、平形くさび又はスプリングピンのようなピンを備えることによって）適応している。
グラウト材はまた、細長い部材の間の導管、キャビティ、又は通路１７に、付加的な補強のために注入される。
【００９１】
図3a、b、cは、本発明の実施形態のロックボルト２０を示していて、細長い第一部材又はシャフト、２１及び細長い第二部材又はスリーブ、２２を含んでいる。細長い第一部材の第一端部２１は、岩盤貫通手段又はドリルビットのような、くさび形の切断ヘッドの形状の一体化ドリル先端具２３を含んでいる。ドリル先端具は細長い第二部材の範囲より大きな範囲で、ボルトの軸から半径方向に広がっている。細長い第一部材２１の第二端部は、おネジ山を切った部分２４を含んでいて、おネジ山に、めネジ山の又は補完する内側のネジ山が切られたナット又はカラー部品、２５を装着する。細長い第二部材２２は、一つの端部に配置された、低強度の壁及びより高強度の拡張さや又は固定装置、２７を有する細長い中空のチューブ２６から成っている。細長い、第一と第二部材２１、２２の第一端部は、ボルト２０の第一端部に対応する。
図3aは、細長い第二部材２２から切り離された細長い第一部材２１を示している。
図3bは、ドリル先端具２３及び、ドリル駆動手段又はナット２５に作用する穿孔装置（図示されていない）によって、第一の回転方向で壁の中へ打ち込まれるロックボルトを示す。細長い部材２１の端部は、ナット２５が外れないように（例えば、細長い部材２１の端部に装着されるプレートを備えることによって）適応する。細長い第一部材２１は、拡張さや２７の上に突き出ているドリル先端具２３を備えた細長い第二部材２２の範囲で部分的に配置さる。ドリル先端具２３は、細長い第一部材２１及び細長い部材２２の両方を受容するために、十分な大きさの穴を穿孔する大きさになっている。所望する深さにおいて、ナット２５は、第二の回転方向で、ナット２５を回すことによって締められる。締付けナット２５が、細長い第二部材２２と隣接するワッシャー２８を押すために、ワッシャー又は合口部材、２８は、壁に穿孔された穴よりも大きく広がっていて、細長い第二部材２２の拡張さや２７にドリル先端具２３との隣接を促進する。ワッシャー２８は、ボルトの第一端部の方向に面する合口表面を有して、ボルトの軸から半径方向にドリル先端具２３よりも大きな距離を突き出している。ドリル先端具２３は、拡張さや２７の内径寸法よりも大きな外径（半径）寸法で広がる部分を有していて、これによって、締付けナット２５が、ドリル先端具２３対して拡張さや２７を圧迫するにつれて、拡張さや２７は、ドリル先端具２３に適応するために拡張して、この拡張により、拡張さや２７は、穴の側面に接することを強いられる。図3cは、細長い中空チューブ２６を用いるこの手順の最終段階のロックボルト２０を示していて、細長い中空チューブ２６は、チューブに作用する軸方向の力によって、ゆがめられ、又は変形された低強度の壁と、穿孔された穴の壁と接触するように拡張されたより高強度の拡張さや２７を有する。
【００９２】
図4aは、本発明の実施形態の別のロックボルト３０を示している。ロックボルト３０は、細長い第一部材又はシャフト、３１及び細長い第二部材又はスリーブ、３２から成っている。細長い第一部材又はシャフト、３１は、細長い第二部材３２の部分的に長手方向の内側に配置される。細長い第一部材３１は、おネジ山３３を備える第一端部と、図4aのC-C矢視に沿った断面図の図4bの平面図で示される、駆動要素又は装着手段、３５を備える第二端部とを含んでいる。図4ｂに示されているように、駆動要素３５は、アクセス穴又は導管、３６によって囲まれている。細長い第二部材３２は、第二端部３９に配置される拡張さや３８の形状で、固定装置を含んでいる。岩盤を貫通する手段又はドリルビットは、ドリル先端具４０の形状をしていて、おネジ山３３に螺合するネジ山４１が、内側に切られていて、ネジ山４１に隣接するアクセス穴４２と中央洗浄用穴４３とを含んでいる。これらは、それぞれA-A矢視とB-B矢視に沿った図4ｃと図4ｄの断面図で示される。おネジ山３３は、ドリル先端具４０の逆回転を防止するために、細長い第一部材３１の第一端部で、軸に直角に置かれたプレート部材４５を含んでいる。ドリル先端具４０は、先細の下方端部４４を包含する。ドリル先端具４０は、おネジ山３３を介して第一端部に装着される。ドリル先端具４０は、拡張さや３８を越えて突き出していて、ロックボルト３０を受容するために十分な直径の穴を穿孔する寸法になっている。洗浄用穴又は導管、４３及びアクセル穴３６と４２は、穿孔工程を支援するために、穿孔作業中の材料の流入及び流出を可能にする。穿孔作業は、駆動要素３５に穿孔機又は装置を取付けることによって作動する。必要な深さの穴が穿孔されると、穿孔機は反転し、ネジ山４１に細長い第一部材３１の第一端部のおネジ山がねじ込まれ、ドリル先端具４０を拡張さや３８へ押し付けて、拡張さや３８を拡張させる。プレート部材４５は、穿孔作業中にドリル先端具４０が外れて、細長い第一部材が回転することを防止するために、ドリル先端具４０のどのようなさらなる相対的な回転も抑制する。
【００９３】
図5aは、本発明のさらなるロックボルト５０を示す。ロックボルト５０は、細長い第一部材又はシャフト、５１、及び細長い第二部材又はスリーブ、５２を含んでいる。細長い第一部材５１は、細長い第二部材５２の部分的に長手方向の内側に配置される。細長い第一部材５１は、第一端部５３と第二端部５４を含んでいて、第二端部５４は、ドリル駆動手段又は穿孔装置（図示していない）を受容することが出来る、ナット又はカラー部品、５４ａを受容するようになっている。第二端部５４は、ナット５４ａが外れないために装着された、軸と垂直方向に置かれたプレート部材５５を含んでいる。細長い第一部材５１もまた、長手方向の溝５６を含んでいる。ドリルビット手段６０の形状の岩盤を貫通する手段は、端部６１で細長い第一部材５１の第一端部５３に突合せ溶接するようになっている。ドリルビット手段６０は、切断ヘッド又はドリル先端具、６２、及びおネジ山６４を含んでいて、おネジ山６４は、先細のカラー又は係合表面、６３の内側にある、めネジ山６５に螺合する。先細のカラー６３の幅の広い部分は切断ヘッド６２に向かって配置され、幅の狭い部分は、端部６１に向かって配置されていて、アクセス穴又は導管、６６を含んでいる。さらに、ドリルビット手段６０の先細のカラー６３は、導管６７及びめネジ山６５を含んでいて、図5aのA-A矢視に沿った断面図で示される。ドリルビット手段６０は、端部５３に突合せ溶接される。ドリルビット手段６０は、本実施形態で横方向に拡張するようになっている部分、又は固定装置である細長い第二部材５２の第一端部５７を越えて突き出ている。先細のカラー６３の下方端部は、先細のカラー６３の幅が、細長い第二部材５２の内径と一致するまで、ドリルビット手段６０が、細長い第二部材５２の内側を通過することを可能にする。ドリルビット手段６０は、ロックボルト５０を受容するのに十分な直径の穴を穿孔する寸法になっている。溝又は導管、５６は、穿孔工程を支援するために、穿孔作業中に、材料の流入と流出を可能にする。穿孔作業は、穿孔装置をナット５４ａに装着することによって駆動する。必要な深さの穴が穿孔されると、ドリル装置は逆回転して、ナット５４ａをワッシャー又は合口部材、５８に、そしてワッシャー５８を壁に押し付ける。ナット５４ａの逆回転を続けると、細長い第二部材をその位置に残したままで、細長い第一部材５１を壁から引き戻すことによって、先細のカラー６３を細長い第二部材５２の第一端部５７に押し付ける。これにより固定装置又は端部５７は拡張して穴の壁に係合する。
【００９４】
図6aは、本発明の五番目の実施形態のロックボルト７０を示している。ロックボルトの部品で、三番目の態様の部品と一致しているところは、図5aの符番が使用される。ロックボルト７０は、細長い第一部材又はシャフト、７１、及び細長い第二部材又はスリーブ、７２を含んでいる。細長い第一部材７１は、細長い第二部材７２の部分的に長手方向の内側に配置される。細長い第一部材７１は、第一端部７３Ａと第二端部７３Ｂを含んでいて、第二端部７３Ｂは、ドリル駆動手段、又は穿孔装置（図示していない）を受容出来るナット又はカラー部品、５４ａを受容するようになっている。第二端部７３Ｂは、ほぼＴ字形の穴５５Ａを含み、穿孔工程を支援するために穿孔作業中、材料の流入と流出を可能にする。細長い、第一と第二部材７１と７２の第一と第二の端部は、ロックボルト７０の第一と第二の端部に対応している。ナット５４ａが外れないように、且つナット５４ａを回転させることがすなわち細長い第一部材を回転させることになるように、ナット５４ａは、細長い第一部材７１に溶接される。細長い第一部材７１の第一端部７３Ａは、ドリルビットの形状で、岩盤を貫通するようになっている手段７４を含む。ドリルビット手段７４は、切断ヘッド又はドリル先端具７５と、洗浄用の及びグラウト材の流体のための復路を備える導管７６とを含んでいて、A-A矢視に沿った図6cの断面図で示される。ドリルビット７４は、例えばロー付け、突合せ溶接、鍛造、又はその類似の方法で、細長い第一部材７１の第一端部７３Ａに適切に装着される。ドリルビット７４は、細長い第二部材７２の端部７３Ｃを越えて突き出る。ドリルビット７４は、ロックボルト７０を受容するのに十分な直径の穴を穿孔する寸法になっている。細長い第二部材７１は波形になっていて、波形は細長い第二部材７１の内表面と外表面との間の圧力を伝達する。この波形は、螺旋状でも放射状でもよく、波形の深さは細長い第二部材の半径に比例する。図6dは、細長い第二部材７２の波形を詳細に示す。細長い第二部材は、その内側表面と外側表面に波形を有していて、波形はその頂点７９ａと谷７９ｂによって画定される。波板は、図6dの概念上の中心軸が頂点７９ａと谷７９ｂの両方の領域に入るように、十分な振幅を持っている。
上記で述べたそして以下に述べるどの実施形態に従うボルトであっても、波形の細長い第二部材を含んでよい。
【００９５】
細長い第二部材７２は、例えば、先細のカラー又は係合表面、ワッシャー又は合口部材等によって、適切に然るべき位置に維持される。穿孔作業は、穿孔機、又は装置（図示されていない）をナット５４ａに装着することによって駆動し、第一の回転方向で細長い第一部材７１とドリルビット７４を回転させる。岩盤にドリルビット手段を係合させることは、穿孔装置の回転運動に連動して、岩盤面に対して長手方向の（軸方向の）圧力を掛けることを必要とする。穿孔作業中、ドリルビット７４は冷却流体によって冷却され、冷却流体は岩盤面と細長い第二部材７２との間の第二キャビティ７８に注入される。冷却剤は、岩盤面と第二部材との間の第二キャビティ７８に流入し、また流出する。必要な深さの穴が穿孔されると、グラウト材の流体が第一と第二の部材との間の環状の第一キャビティ又は通路、７７へ、第一キャビティ７７がグラウト材の流体で満杯になるまで注入される。グラウト材の流体はまた、第二キャビティ７８に注入されてもよい。冷却液もまた、第一キャビティへ注入され、又は流出してもよい。第一キャビティと第二キャビティとの間に循環路が出来きてもよい。ボルト７０はそこで、グラウト材の流体の中に固化のために残される。概ね、細長い第一部材のＴ字型導管のようなものは、示された本発明のどの実施形態にも使用することが出来るだろう。このような導管は、ナットを細長い第一部材に固定するために、割りピンが使用されない場所で特に使用される。
【００９６】
図7aは、本発明の六番目の実施形態の別のロックボルト８０を示す。ロックボルトの部品が、五番目と六番目の態様の部品と一致するところでは、図5aと6aの符番が使用される。ロックボルト８０は、細長い第一部材又はシャフト、８１、及び細長い第二部材又はスリーブ、８２を含んでいる。細長い第一部材８１は、細長い第二部材８２の部分的に長手方向の内側に配置される。好ましくは、拡張可能な端部カラー８７は、鋼のような高圧縮強度の材料から作られる。細長い第一部材８１は、第一端部８３Ａと第二端部８３Ｂを含んでいて、第二端部８３Ｂは、穿孔駆動手段又は穿孔装置（図示されていない）を受容することが出来る、ナット又はカラー部品、５４ａを受容するようになっている。細長い第二部材８２の第一端部８３Ａは、拡張可能な端部カラー８７の形状の固定器具を含んでいて、端部カラー８７が拡張して、穿孔された穴の側面に接する。第二端部８３Ｂは、割りピン又はスプリングピンのような軸と垂直方向に配置されたピン５５Ａを含んでいて、これは、ナット５４ａの下で細長い第一部材８１を介して設置される。これにより、一方向にナット５４ａを取り外すことが出来ず、且つナット５４ａを回転させることはまた、細長い第一部材８１も回転させる。細長い第一部材８１はまた、長手方向の溝５６の形状のアクセス導管を含む。細長い第一部材８１の第一端部８３Ａは、岩盤を貫通するようになっているドリルビット手段８４を含む。
【００９７】
ドリルビット手段８４は、切断ヘッド又はドリル先端具、８５、及び先細のカラー又は係合表面、８６を含む。先細のカラー８６の幅の広い部分は、切断ヘッド８５に向いて、幅の狭い部分は、端部カラー８７に向いて配置され、アクセス穴又は導管、８７Ａを含んでいる。さらに、ドリルビット手段８４の先細のカラー８６は、半径寸法より小さな導管９０を含んでいて、先細のカラー８６のその他の部分は、洗浄用の及びグラウト材の流体のための復路を備えている。これは図7aのA-A矢視に沿った断面図で示される。ドリルビット手段８４は、例えば、ロー付け、突合せ溶接、鍛造、又はその類似の方法によって、先細のカラー８６に適切に装着される。先細のカラー８６は、細長い第二部材８２の端部８３Ｃを越えて突出する。先細のカラー８６の下方端部は、カラー８６の幅が細長い第二部材８２の内径とぴったり一致するまで、先細のカラー８６が細長い第二部材の内側を通過することを可能にする。ドリルビット手段８４は、ロックボルト８０を受容するのに十分な直径の穴を穿孔する寸法になっている。溝５６の形状のアクセス導管は、穿孔工程を支援するために、穿孔作業中、材料の流入及び流出を可能にする。穿孔作業は穿孔機、又は装置（図示されていない）を、ナット又はカラー部品、５４ａに装着することによって駆動させ、第一の回転方向に細長い第一部材８１及びドリルビット手段８４を回転させる。岩盤にドリルビット手段８４を係合するには、穿孔装置の回転運動に連動して、岩盤面に対して長手方向の（軸方向の）圧力を掛けることが必要である。穿孔作業中、ドリルビット手段８４は、細長い第一部材８１の第二端部８３Ｂで、アクセス導管５６を介して注入される、冷却流体の流体によって冷却される。冷却流体は、第一と細長い第二部材との間の第一キャビティ又は通路、８８に流入し、ドリルビット手段８４のアクセス導管８７Ａ及び洗浄用穴９１を介して第一キャビティ８８から流出して、その後で岩盤面と細長い第二部材８２との間の第二キャビティ８９にフラッシュバックされる。必要な深さの穴が穿孔されると、ナット５４ａをワッシャー５８に押し付け、ワッシャー５８を壁に押し付けるために、穿孔機は逆回転して、ワッシャー５８が細長い第二部材８２を先細のカラー８６に押し付ける。代替として、ナット５４ａをワッシャー５８に押し付け、ワッシャー５８を壁に押し付けるために、穿孔機はさらに回転して、ワッシャー５８が細長い第二部材８２を先細のカラー８６に押し付ける。穿孔及び岩盤の中にロックボルトの挿入に続いて、グラウト材の流体が、細長い第一部材８１の第二端部８３Ｂで、アクセス導管５６を介して注入される。グラウト剤の流体は、第一と第二の部材の間の第一キャビティ８８又は通路、８８に流入し、ドリルビット手段８４のアクセス導管８７Ａと洗浄用穴９１を介して、第一キャビティ８８から流出して、その後で、岩盤面と細長い第二部材８２との間の第二キャビティ８９を通ってワッシャー５８の方向にフラッシュバックされる。グラウト材の流体は、両キャビティ８８と８９が、グラウト材の流体で満杯になるまで注入され、ボルト８０はこの時、グラウト材の流体の中に固化のために残される。グラウト材の流体が固化すると���ロックボルトは、めネジ山が切られたカラーを使用して、随意に張力を作用することが可能になる。
【００９８】
図8a、8b、及び8cは、本発明の七番目の実施形態のロックボルト２０を示している。ロックボルトの部品が、第二態様の部品に一致するところでは、図３の符番が使用される。ロックボルト２０は、細長い第一部材又はシャフト、２１、及び細長い第二部材又はスリーブ、２２を含んでいる。細長い第一部材２１の第一端部は、岩盤を貫通する手段として、くさび形の切断ヘッドの形状をした一体化ドリル先端具２３を含んでいる。細長い第二部材２１の第二端部は、おネジ山が切られた部分２４を含んでいて、それに、めネジ山が切られた、又は補完する内側のネジ山を備えるカラー部品２５を装着する。細長い第二部材２２は、低強度の壁と、一方の端部に配置された高強度の端部カラー又は固定装置、９９を有する細長い中空管２６から成っている。
【００９９】
図8aは、細長い第二部材２２から分離された細長い第一部材２１を示す。
図8bは、ドリル先端具２３とドリル駆動手段（図示されていない）によって、第一の回転方向で壁の中に穿孔するロックボルト２０が示されて、ドリル駆動手段はカラー部品２５によって提供される装着手段によって機能する。細長い部材２１の端部は、（例えば、細長い部材２１の端部に取付けられるプレートを備えることによって、）ナット、又はカラー部品２５が外れないように適応する。細長い第一部材２１は、端部カラー９９を越えて突き出るドリル先端具２３を有する細長い部材２２の範囲内に部分的に配置される。ドリル先端具２３は、細長い第一部材２１と細長い第二部材２２の両方を受容するのに十分な大きさの穴を穿孔することが出来る寸法である。所望される深さにおいて、カラー部品２５は締付けられる。ワッシャー又は接合部材、２８は壁に穿孔された穴より大きく広がっている。これにより、締まっているカラー部品２５は、ワッシャー２８を押して細長い第二部材２２と隣接し、そこで細長い第二部材２２も押されて、端部カラー９９に隣接する。ドリル先端具２３は、半径方向の外径寸法が端部カラー９９の内径寸法よりも大きな広がり部分を有している。これにより締まっているカラー部品２５が、細長い第二部材２２を端部カラー９９に押し付けるから、細長い第二部材２２は、細長い第一部材２１の第一端部の方向で、それに掛かる軸方向の力によってゆがむ又は変形して、細長い第二部材が穿孔された穴の側面に接触させられる。図8cは、細長い中空管２６を用いるこの手順の最後におけるロックボルト２０を示していて、細長い中空の管２６は、この管に作用する力によってゆがむ強度の低い壁を有していて、穴の壁と接触する。穿孔作業と岩盤へロックボルト２０の挿入に続き、グラウト材の流体が細長い第一部材２１の第二端部９６にあるアクセス導管９２を介して注入される。グラウト材の流体は、第一と第二の部材の間の第一キャビティ又は通路、９７に流入し、ドリル先端具２３にあるアクセス導管９３及び、洗浄用穴又は導管、９４を介して第一キャビティ９７から流出して、その後に、岩盤面と細長い第二部材２２との間の第二キャビティ９８の中を、ワッシャー又は接続部材、２８の方向にフラッシュバックする。グラウト材の流体は、両方のキャビティ９７と９８がグラウト材の流体で充満するまで注入され、ボルト２０は、グラウト材の流体の中に固化のために残される。
【０１００】
図9aは、本発明の第八実施形態のドリル１００を示す。このドリル１００は、細長い第一部材又はシャフト、１０１、及び細長い第二部材又はスリーブ、１０２を含んでいる。細長い第一部材は、細長い第二部材１０２の部分的に長手方向の内側に配置される。細長い第二部材は第一と第二の端部、１０３Ｃと１０３Ｄを有している。細長い第一部材１０１は、第一端部１０３Ａと第二端部１０３Ｂを含み、第二端部１０３Ｂは、装着手段として、ドリル駆動手段、例えば、穿孔装置（図示されていない）を受容することが出来る駆動要素１０４を含んでいる。駆動要素１０４を回転させると、細長い第一部材１０１もまた回転する。細長い第一部材１０１の第二端部１０３Ｂは、さらにおネジ山１０５を含んでいる。細長い第一部材１０１の第一端部１０３Ａは、岩盤を貫通するようになっているドリルビット手段１０６を含んでいる。あるいは第一端部１０３Ａは、岩盤を貫通するためのドリルビット手段を受容するようになっていてもよい。ドリルビット手段１０６は、切断ヘッド又はドリル先端具、１０７、及び中央洗浄用穴１０９を包含する。ドリルビット手段１０６は、洗浄用の及びグラウト材の流体ための復路となる導管１０８を包含し、図9aのA-A矢視に沿った断面図に示される。ドリルビット手段１０６は、例えばロー付け、突合せ溶接、鍛造、又はその類似の方法によって細長い第一部材１０１に、適切に装着される。
【０１０１】
穿孔作業は、穿孔機械（図示されていない）を駆動要素１０４に装着することによって駆動されて、第一の回転方向に細長い第一部材１０１及びドリルビット手段１０６を回転する。岩盤とドリルビット手段１０６の係合には、穿孔装置の回転運動に連動した岩盤面に対して長手方向の圧力を加えることが必要である。穿孔作業の間、ドリルビット手段１０６は冷却流体により冷却される。この冷却流体は、第一と細長い第二部材１０１、１０２の間にある第一キャビティ又は通路、１１０Ａに注入される。冷却流体は、中央洗浄用穴又は導管、１０９を介して第一キャビティ１１０Ａに流入し、導管１０８を通過して、岩盤面と細長い第二部材１０２との間の第二キャビティ１１０Ｂから流出する。あるいは、流れの方向を逆にすることも出来る。必要な深さの穴か穿孔されると、穿孔機械は穴から取り除かれ、穴は、例えば、爆薬や補強ケーブルを挿入するために使用することが出来る。ドリル１００は、それからさらに深い穴を穿孔するために使用することが出来き、ドリルビット手段１０６は、必要な時には、例えば、磨耗した切断ヘッド又はドリル先端具、１０７の交換のために、又は様々な穿孔作業条件に対して、さらなるドリルビット手段１０６と交換することが出来る。
【０１０２】
図10aは、本発明のさらなる実施形態のロックボルト１１１を示していて、細長い第一部材又はシャフト、１１２、及び細長い第二部材又はスリーブ、１１３とを包含する。細長い第一部材１１２は、第一と第二の端部、１１４Ｃと１１４Ｄを有する細長い第二部材１１３の部分的に長手方向の内側に配置される。細長い第一部材１１２は、第一端部１１４Ａと第二端部１１４Ｂを包含し、第二端部１１４Ｂは、装着手段として、例えば、穿孔装置（図示されていない）のようなドリル駆動手段を受容できる駆動要素１１５を包含している。駆動要素１１５が回転すると、細長い第一部材１１２もまた回転する。細長い第一部材１１２の第二端部１１４Ｂは、図10bに示される細長い第三部材１１２Ｂの第一端部１２１Ａのめネジ山１２２を回転して固定をする、おネジ山１１６をさらに包含する。細長い第一部材１１２の第一端部１１４Ａは、岩盤を貫通するようになっているドリルビット手段１１７を包含する。あるいは、第一端部１１４Ａは、岩盤を貫通するためのドリルビット手段を受容するようになっていても良い。ドリルビット手段１１７は、切断ヘッド又はドリル先端具、１１８を包含する。ドリルビット手段１１７は、図10aのA-A矢視に沿った断面図に示される、洗浄用の及びグラウト材の流体のための復路となる導管１１９を包含する。ドリルビット手段１１７は、細長い第一部材１１２に、例えばロー付け、突合せ溶接、鍛造、又はその類似の方法によって、適切に装着される。あるいは、第一端部１１４ａは、岩盤を貫通するためのドリルビット手段を受容するようになっていてもよい。ドリルビット手段１１７は、ロックボルト１１１を受容するのに十分な直径の穴を穿孔する寸法になっている。
【０１０３】
図10bは、延長ロッド１２０を示していて、細長い第三部材１１２Ｂ及び細長い第四部材１１３Ｂを包含する。細長い第三部材１１２Ｂは、細長い第四部材１１３Ｂの部分的に長手方向の内側に配置される。細長い第四部材１１３Ｂの第一端部１２１Ｃは、図10aの細長い第二部材１１３の第二端部１１４Ｄに固定されるようになっている輪郭をかたどるリップを包含する。さらに、細長い第四部材１１３Ｂの第二端部１２１Ｄは、細長い第六部材（図示されていない）の第一端部に固定されるようになっている輪郭をかたどるリップを包含する。細長い第三部材１１２Ｂは、第一端部１２１Ａと第二端部１２１Ｂを含み、第二端部１２１Ｂは装着手段としてドリル駆動手段（図示されていない）を受容することが出来る駆動要素１２３を包含している。駆動要素１２３が回転すると、細長い第三部材１１２Ｂもまた回転する。細長い第三部材１１２Ｂの第一端部１２１Ａは、めネジ山１２２を含み、めネジ山１２２は、第一の回転方向に図10aのおネジ山１１６と係合し、回転して固定する。細長い第三部材１１２Ｂの第一の方向の回転が、細長い第一部材１１２に同一方向の回転を引き起こすように、細長い第三部材１１２Ｂは細長い第一部材１１２に固定される。このようにして、第一の回転方向にある細長い第三部材の回転は、ドリルビットを回転して穿孔作業が行われる。細長い第三部材１１２Ｂの第二端部１２１Ｂは、おネジ山１２４を含み、おネジ山１２４は、細長い第一部材と細長い第三部材との間を固定するのと同一の方法で、細長い第五部材（図示されていない）の第一端部のめネジ山を回転して固定する。
【０１０４】
図11aは、本発明の前述の実施形態の代替となるロックボルト１３０を示す。ロックボルト１３０は、細長い第一部材又はシャフト、１３１、及び細長い第二部材又はスリーブ、１３２を包含する。細長い第一部材１３１は、細長い第二部材１３２の部分的に長手方向の内側に配置される。細長い第二部材１３２は、第一端部１３３Ｃと第二端部１３３Ｄを包含する。第一と細長い第二部材１３１と１３２の第一端部は、ロックボルト１３０の第一端部に対応する。細長い第二部材１３２は、拡張さや又は固定装置、１３６Ａの設備を介して、少なくともその長さの一部に沿って、横方向への拡張の形で変形するようになっている。細長い第一部材１３１は、第一端部１３３Ａ及び第二端部１３３Ｂを含み、第二端部１３３Ｂはドリル駆動手段（図示されていない）を受容することが出来る、駆動要素１３４を受容するようになっている。細長い第一部材１３１の第二端部１３３Ｂは、ナット又はカラー部品（図示されていない）をさらに受容するようになっている。駆動要素１３４が回転すると、細長い第一部材１３１もまた回転する。装着手段としての細長い第一部材１３１の第二端部１３３Ｂは、おネジ山１３５をさらに含み、おネジ山１３５は、図11bに示すように、細長い第三部材１３１Ｂが第一の方向に回転する時に、細長い第三部材１３１Ｂの第一端部１４３Ａのめネジ山１４７を回転して固定する。細長い第一部材１３１の第一端部１３３Ａは、岩盤を貫通するようになっているドリルビット手段１３７を包含する。あるいは、第一端部１３３Ａは、岩盤を貫通するためのドリルビット手段を受容するようになっていてもよい。ドリルビット手段１３７は、切断ヘッド又はドリル先端具、１３８、及び先細のカラー又は係合表面、１３６を包含する。先細のカラー１３６の幅の広い部分は、切断ヘッド１３８の方向に、幅の狭い部分は、細長い第二部材１３２の第一端部１３３Ｃの方向に配置される。さらに、ドリルビット手段１３７の先細のカラー１３６は、洗浄用の及びグラウト材の流体の復路となる導管１３９を含んでいて、導管１３９は図11aのA-A矢視に沿った断面図で示される。ドリルビット手段１３７は、例えば、ロー付け、突合せ溶接、鍛造、又はその類似の方法によって、細長い第一部材１３１に適切に装着される。あるいは、第一端部１３３Ａは、岩盤を貫通するためのドリルビット手段を受容するようになっていてもよい。ドリルビット手段１３７は、細長い第二部材１３２の端部１３３Ｃを越えて突き出ている。先細のカラー１３６の低い方の端部は、先細のカラー１３６の幅が細長い第二部材１３２の内径に一致するまで、ドリルビット手段１３７を細長い第二部材１３２の内側に進行させることが出来る。ドリルビット手段１３７は、ロックボルト１３０を受容するのに十分な直径の穴を穿孔する寸法になっている。
【０１０５】
図11bは延長ロッド１４０を示し、細長い第三部材１３１Ｂ及び細長い第四部材１３２Ｂを包含する。細長い第三部材１３１Ｂは、細長い第四部材１３２Ｂの部分的に長手方向の内側に配置される。細長い第四部材１３２Ｂの第一端部１４３Ｃは、図11aの細長い第二部材又はスリーブ、１３２の第二端部１３３Ｄに固定されるようになっている輪郭をかたどるリップを包含する。さらに細長い第四部材１３２Ｂの第二端部１４３Ｄは、細長い第六部材（図示していない）の第一端部に固定されるようになっている輪郭をかたどるリップを包含する。細長い第三部材１３１Ｂは、第一端部１４３Ａ及び第二端部１４３Ｂを含んでいて、第二端部１４３Ｂは、装着手段としてドリル駆動手段（図示されていない）を受容することが出来る駆動要素１４４を包含する。細長い第三部材１３１Ｂの第二端部１４３Ｂはさらに、ナット又はカラー部品、１４５を受容するようになっている。駆動要素１４４が回転すると、細長い第三部材１３１Ｂもまた回転する。細長い第三部材１３１Ｂの第一端部１４３Ａは、めネジ山１４７を含んでいて、上述したように、めネジ山１４７は、図11aのおネジ山１３５と係合し、回転して固定する。細長い第三部材１３１Ｂの第一の方向の回転が、細長い第一部材１３１に同一方向の回転をひき起こすように、細長い第三部材１３１Ｂは細長い第一部材１３１に固定される。このようにして、細長い第三部材が第一の方向に回転すると、ドリルビット手段も回転し、穿孔作業が行なわれる。細長い第三部材１３１Ｂの第二端部１４３Ｂは、細長い第五部材（図示されていない）のめネジ山を回転して固定するためのおネジ山１４６を包含する。
【０１０６】
上述と同様の方法で、さらなる延長ロッドの接続によって、さらなる延長部分が挿入されて可能になることは、正しく認識されるだろう。それぞれの延長ロッドは好ましくは、さらなる同一の延長ロッドを、いずれか一方で又は各々の端部で受容し、上述したような、さらに深いボルト穴を穿孔するために機能することが出来るようになっている。加えて、浅いボルト穴を完成するには、たった一つの延長ロッドを使用するだけで可能である。本発明の実施形態のロックボルトは、上述したように、細長い、第一と第二部材と一つ又はそれ以上の延長部分との組合せからなる。
以前の実施形態の何れにも従うボルトは、上述したような延長ロッドと連結されてもよい。
【０１０７】
穿孔作業は、図10aの駆動要素１１５に備わる装着手段又はカラー部品に、穿孔機械又は装置（図示されていない）を装着することよって駆動され、細長い第一部材１１２及びドリルビット手段１１７は、第一の回転方向に回転する。岩盤とドリルビット手段１１７との係合には、穿孔装置の回転運動と連動して、岩盤面に対する長手方向（軸方向）の圧力をかけることが必要である。穿孔作業の間、ドリルビット手段１１７は、岩盤面と第二部材１１３との間の第二キャビティ１１０Ｂに注入される冷却流体で冷却される。冷却流体はそれから、細長い第一部材１１２と細長い第二部材１１３の間の第一キャビティ又は通路、１１０Ａに流入し、また流出して戻る。
あるいは、冷却流体は、細長い第一部材１１２と細長い第二部材１１３との間の第一キャビティ１１０Ａに注入され、岩盤面と細長い第二部材１１３との間の第二キャビティ１１０Ｂを経由して戻ってもよい。
【０１０８】
ボルトの長さは、ロックボルト１１１を延長するための図10bの延長ロッド１２０を使用して延長される。延長ロッド１２０は穿孔作業によって、細長い第一部材１１２の第二端部１１４Ｂに装着される。穿孔作業は、穿孔機械又は装置（図示されていない）を、延長ロッド１２０の駆動要素１２３に備わる装着手段に装着することによって駆動され、細長い第三部材１１２Ｂは第一の回転方向に回転する。細長い第四部材１１３Ｂの第一端部１２１Ｃは、それからバネ式接続金具のような装着手段によって、細長い第二部材１１３の第二端部１１４Ｄに取付けられる。
【０１０９】
ここに、駆動要素１２３に備わる装着手段に穿孔機械（図示されていない）を装着することによって、連結された細長い第一部材１１２と細長い第三部材１１２Ｂとドリルビット手段１１９が第一の回転方向に回転して、穴の深さは延長される。穿孔作業の間、ドリルビット手段１１９は、冷却流体を用いて冷却され、冷却流体は、岩盤面と細長い第一部材１１２との、及び岩盤面と細長い第三部材１１２Ｂとの間に広がる第二キャビティ１１０Ａに注入される。冷却流体は、岩盤面と第一部材１１２との、及び岩盤面と第三部材１１２Ｂとの間の第一キャビティ１１０Ａ、並びに岩盤面と第二部材１１３との、及び岩盤面と第四部材１１３Ｂとの間の第二キャビティ１１０Ｂに流入し、また流出する。
必要な深さの穴が穿孔されると、グラウト材の流体が、連結された細長い、第一と第三の部材１１２と１１２Ｂ、及び連結された細長い、第二と第四の部材１１３と１１３Ｂの間にある第一キャビティ１１０Ａに、満杯になるまで注入される。グラウト材の流体はまた、岩盤面及び連結された細長い、第二と第四の部材の間にある第二キャビティ７８にも注入される。そこで延長されたボルト１１１と１２０は、グラウト材の流体の中に固化のために残される。一つの循環路が形成されてもよくて、グラウト材が第一と第二のキャビティ、１１０Ａと７８のいずれか一つを通過し、細長い第一部材の第一端部の領域でもう一方を通過して、両方のキャビティが満杯になる。
【０１１０】
図11の延長可能なボルトは、図10を参照して述べられたのと同様の方法で、穿孔される。しかし、必要な深さの穴が穿孔された時に、ナット又はカラー部品、１４５が、細長い第三部材１３１Ｂのおネジ山に沿って回転され、その結果、ナット１４５を細長い第三部材１３１Ｂの第一端部１４３Ａの方向に進出させて、細長い第四部材１３２Ｂを前進する（その結果、装着された細長い第二部材１３２となる）。ナット１４５の回転を続けると、ナット１４５は、カラー１３６の先細り部分を細長い第二部材又はスリーブ、１３２の第一端部１３３Ｃに押し付けて、その結果、拡張さや１３６Ａが拡張して、穴の壁と係合する。
【０１１１】
上述と同様の方法で、さらなる延長ロッドの接続によって、さらなる延長部分が挿入されて可能になることは、正しく認識されるだろう。それぞれの延長ロッドは好ましくは、さらなる同一の延長ロッドを、いずれか一方で又は各々の端部で受容し、上述したような、さらに深いボルト穴を穿孔するために機能することが出来るようになっている。加えて、浅いボルト穴を完成するには、たった一つの延長ロッドを使用するだけで可能である。
より浅いボルト穴を完成するために、図11aのたった一つのロックボルト１３０を使用することが可能であることは、正しく認識されるだろう。ナット１４５（図11aには示されていない）は、細長い第一部材１３１のおネジ山１３５に装着される。ナット１４５は、細長い第一部材端部１３１のおネジ山に沿って回転され、その結果ナット１４５を細長い第一部材１３１の第一端部１３３Ａの方向に進出させて、細長い第二部材１３２を前進させる。ナット１４５の回転を続けると、カラー１３６の先細り部分を細長い第二部材１３２の第一端部１３３Ｃに押し付けて、その結果、拡張さや１３６Ａが拡張して穿孔した穴の壁と係合する。
【０１１２】
先に述べられた、部品の特定な組立及び配置において、様々な変更及び／又は追加が、本発明の精神又は範囲から逸脱することなくなされてもよいことは、正しく認識されるだろう。
【図面の簡単な説明】
【０１１３】
【図１ａ】図1aは、本発明の実施形態のロックボルトを示す。
【図１ｂ】図1bは、本発明の実施形態のロックボルトを示す。
【図２】図2は、拡張さやと係合したロックボルトを示す。
【図３ａ】図3aは、本発明の実施形態の代替ロックボルトを示す。
【図３ｂ】図3bは、本発明の実施形態の代替ロックボルトを示す。
【図３ｃ】図3cは、本発明の実施形態の代替ロックボルトを示す。
【図４ａ】図4aは、本発明の実施形態のさらなる代替ロックボルトを示す。
【図４ｂ】図4bは、本発明の実施形態のさらなる代替ロックボルトを示す。
【図４ｃ】図4cは、本発明の実施形態のさらなる代替ロックボルトを示す。
【図４ｄ】図4dは、本発明の実施形態のさらなる代替ロックボルトを示す。
【図５ａ】図5aは、本発明の実施形態の別の代替ロックボルトを示す。
【図５ｂ】図5bは、本発明の実施形態の別の代替ロックボルトを示す。
【図５ｃ】図5cは、本発明の実施形態の別の代替ロックボルトを示す。
【図５ｄ】図5dは、本発明の実施形態の別の代替ロックボルトを示す。
【図６ａ】図6aは、本発明の実施形態の代替ロックボルトを示す。
【図６ｂ】図6bは、本発明の実施形態の代替ロックボルトを示す。
【図６ｃ】図6cは、本発明の実施形態の代替ロックボルトを示す。
【図６ｄ】図6dは、本発明の実施形態の代替ロックボルトを示す。
【図７ａ】図7aは、本発明の実施形態の代替ロックボルトを示す。
【図７ｂ】図7bは、本発明の実施形態の代替ロックボルトを示す。
【図７ｃ】図7cは、本発明の実施形態の代替ロックボルトを示す。
【図８ａ】図8aは、本発明の実施形態の代替ロックボルトを示す。
【図８ｂ】図8bは、本発明の実施形態の代替ロックボルトを示す。
【図８ｃ】図8cは、本発明の実施形態の代替ロックボルトを示す。
【図９ａ】図9aは、本発明の実施形態のドリルを示す。
【図９ｂ】図9bは、本発明の実施形態のドリルを示す。
【図１０ａ】図10aは、本発明の実施形態のさらなる代替ロックボルトを示す。
【図１０ｂ】図10bは、本発明の実施形態のさらなる代替ロックボルトを示す。
【図１０ｃ】図10cは、本発明の実施形態のさらなる代替ロックボルトを示す。
【図１１ａ】図11aは、本発明の実施形態の別の代替ロックボルトを示す。
【図１１ｂ】図11bは、本発明の実施形態の別の代替ロックボルトを示す。
【図１１ｃ】図11cは、本発明の実施形態の別の代替ロックボルトを示す。
2006526718.tif 000003
【図２】
2006526718.tif 000004
2006526718.tif 000005
2006526718.tif 000006
2006526718.tif 000007
2006526718.tif 000008
2006526718.tif 000009
2006526718.tif 000010
2006526718.tif 000011
2006526718.tif 000012
2006526718.tif 000013
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
対向している第一と第二の端部、及び前記両端部の間に位置するシャフトと、前記第一端部に位置する少なくとも一つのドリル先端具、及びボルトを回転し、ボルトを推進させるための穿孔装置に接続されるようになっている第二端部と、前記シャフトに沿って周囲に位置するスリーブと、流体を前記ボルトシャフトに沿って通過させることが可能となる、前記スリーブ及び前記シャフトの間に形成される通路とを具備する、穿孔部材。
【請求項２】
前記少なくとも一つのドリル先端具が、前記ボルトの軸から半径方向に、前記スリーブより大きな距離で広がる、請求項1に記載の穿孔部材。
【請求項３】
前記少なくとも一つのドリル先端具が、前記シャフトの一端に固定される、請求項1又は2に記載の穿孔部材。
【請求項４】
前記シャフトの一方の端部に接続され、そこに前記少なくとも一つのドリル先端具を組込んでいるドリルビットをさらに具備する、請求項1又は2に記載の穿孔部材。
【請求項５】
開口部が、前記スリーブの前記対向している端部の各々で、又は端部の各々に近接して、前記通路に備えられる、請求項1から4のいずれか一項に記載の穿孔部材。
【請求項６】
穿孔部材の第二端部に隣接する、前記シャフトの周囲に位置するカラー部品をさらに具備する、請求項1から5のいずれか一項に記載の穿孔部材。
【請求項７】
前記カラー部品を介して、流体が前記通路へ流入又は通路から流出することを可能にする、少なくとも一つの導管をさらに具備する、請求項6に記載の穿孔部材。
【請求項８】
前記少なくとも一つの導管が、前記シャフトと前記カラー部品との間に形成される、請求項7に記載の穿孔部材。
【請求項９】
前記通路と前記ドリル先端具との間の流体の流れを容易にするために、前記第一端部に形成される少なくとも一つの導管をさらに具備する、請求項1から8のいずれか一項に記載の穿孔部材。
【請求項１０】
前記第一端部の前記導管の少なくとも一部分が、前記穿孔部材の範囲内に配置される、請求項9に記載の穿孔部材。
【請求項１１】
前記シャフトが、穿孔作業の間に、前記穿孔部材に作用する圧縮荷重に順応するよう機能する、請求項1から10のいずれか一項に記載の穿孔部材。
【請求項１２】
前記スリーブが、前記シャフトよりも十分に低い圧縮強度を有する、請求項11に記載の穿孔部材。
【請求項１３】
前記シャフトが、鋼製ロッドから形成される、請求項11又は12に記載の穿孔部材。
【請求項１４】
前記シャフトが、繊維強化材料から形成される、請求項11又は12に記載の穿孔部材。
【請求項１５】
前記スリーブが、プラスチックから形成される、請求項11から14のいずれか一項に記載の穿孔部材。
【請求項１６】
前記スリーブが、鋼から形成される、請求項11から14のいずれか一項に記載の穿孔部材。
【請求項１７】
前記部材が、自動穿孔ロックボルトを形成するために前記穿孔部材によって穿孔された穴に固定されるように配置される、請求項1から16のいずれか一項に記載の穿孔部材。
【請求項１８】
前記シャフトの外表面が、前記シャフトにグラウト材の結合を促進するためにざらざらしている、請求項17に記載の自動穿孔ロックボルト。
【請求項１９】
前記シャフトの外表面が波形である、請求項18に記載の自動穿孔ロックボルト。
【請求項２０】
前記穿孔された穴に配置される時に、前記ロックボルトを保持するようになっている固定装置をさらに具備する、請求項17から19のいずれか一項に記載の自動穿孔ロックボルト。
【請求項２１】
前記固定装置は、前記装置が前記穴の穿孔を妨げない収縮した位置から、前記装置が前記穿孔された穴にロックボルトを保持するために配置される延伸した位置へ移動できる、請求項20に記載の自動穿孔ロックボルト。
【請求項２２】
前記ボルトが、穿孔を実施する第一の方向に回転するようになっていて、前記固定装置をその収縮した位置から延伸した位置へ移動するために、第二の反対方向に回転するようになっている、請求項21に記載の自動穿孔ロックボルト。
【請求項２３】
前記スリーブが変形可能であって、変形した時に、前記スリーブが半径方向に前記ドリル先端具を越えて拡張する、請求項21から23のいずれか一項に記載の自動穿孔ロックボルト。
【請求項２４】
前記スリーブが、前記スリーブへの軸方向の力の作用で変形出来る、請求項23に記載の自動穿孔ロックボルト。
【請求項２５】
前記軸方向の力が、前記第一端部の方向である、請求項24に記載の自動穿孔ロックボルト。
【請求項２６】
前記ロックボルトが、少なくとも一つの係合する表面をさらに具備していて、且つ前記スリーブが、前記係合する表面を横切る、前記スリーブの相対的な運動によって変形される、請求項23から25のいずれか一項に記載の自動穿孔ロックボルト。
【請求項２７】
請求項4に従属する場合において、前記係合する表面が前記ドリルビットに配置される、請求項26に記載の自動穿孔ロックボルト。
【請求項２８】
前記スリーブが軸方向の圧縮によって変形可能である、請求項24から27のいずれか一項に記載の自動穿孔ロックボルト。
【請求項２９】
前記スリーブが、前記スリーブの変形を容易にする、少なくとも一つの弱い領域を組込んでいる、請求項23から28のいずれか一項に記載の自動穿孔ロックボルト。
【請求項３０】
前記少なくとも一つの弱い領域が、前記スリーブに形成されるスリットの形状である、請求項29に記載の自動穿孔ロックボルト。
【請求項３１】
前記固定装置が、前記第一端部の直近に配置されて、前記スリーブに対する前記シャフトの軸方向の動きに応じて作動するようになっている、請求項30に記載の自動穿孔ロックボルト。
【請求項３２】
前記固定装置が、前記スリーブの一部分を形成する、又は前記スリーブに接続される、請求項20から31のいずれか一項に記載の自動穿孔ロックボルト。
【請求項３３】
前記スリーブが、複合材料から形成され、前記固定装置を形成する少なくとも一つの金属部材を含む、請求項32に記載の自動穿孔ロックボルト。
【請求項３４】
前記固定装置が、半径方向外側に向かって変位が可能な、少なくとも一つの拡張さやの形状である、請求項20から31のいずれか一項に記載の自動穿孔ロックボルト。
【請求項３５】
前記ロックボルトが、少なくとも一つの係合する表面を具備していて、且つ前記少なくとも一つの拡張さやが、前記少なくとも一つの拡張さやの内表面にわたって、前記係合する表面の相対的な動きに対して作動するようになっている、請求項34に記載の自動穿孔ロックボルト。
【請求項３６】
請求項6に従属する場合において、前記カラー部品が、前記ボルトシャフトに沿って軸方向に変位が可能である、請求項20から35のいずれか一項に記載の自動穿孔ロックボルト。
【請求項３７】
前記スリーブが、前記シャフトに沿って前記カラー部品の動きに応じて、前記シャフトに沿って変位が可能である、請求項29に記載の自動穿孔ロックボルト。
【請求項３８】
前記カラー部品が、前記カラー部品の相補的なめネジ山と螺合する前記シャフトのおネジ山によって、前記シャフトに接続される、請求項35又は36に記載の自動穿孔ロックボルト。
【請求項３９】
前記ロックボルトが、前記カラー部品を用いて前記穿孔装置の接合によって、前記穿孔装置に少なくとも部分的に接続されるようになっている、請求項35から38のいずれか一項に記載の自動穿孔ロックボルト。
【請求項４０】
合口部材が前記第二端部の直近に配置され、前記合口部材が前記シャフトに沿って変位が可能で合口表面を有していて、前記合口表面が、前記第一端部に向かって面し、前記ボルト軸から半径方向に前記ドリル先端具より大きく張り出している、前記合口部材をさらに具備する、請求項20から39のいずれか一項に記載の自動穿孔ロックボルト。
【請求項４１】
使用時に、前記ロックボルトが、前記ボルトによって穿孔された穴に設置され、前記合口部材が前記穿孔された穴を囲む前記岩盤壁に隣接するように配置され、且つ前記シャフトが、前記岩盤を用いて前記固定装置と前記合口部材との係合を介して、前記穴に張力を作用することが出来る、請求項40に記載の自動穿孔ロックボルト。
【請求項４２】
請求項36に従属する場合において、前記カラー部材が、前記第二端部に向かう前記合口部材の軸方向の動きを制限する、請求項40又は41に記載の自動穿孔ロックボルト。
【請求項４３】
前記穿孔部材又はロックボルトの長さを延長するために配置される、延長手段をさらに具備し、前記延長手段が、少なくとも一つの延長シャフト及び少なくとも一つの延長スリーブを包含しており、前記の又は各々の延長シャフトが、部材又はボルトの前記第二端部に、あるいは別の前記延長シャフトの端部に接続されるようになっていて、前記延長スリーブが、部材又はボルトのスリーブに、あるいは別の前記延長スリーブの端部に接続されるようになっている、請求項1から42のいずれか一項に記載の穿孔部材又は自動穿孔ロックボルト。
【請求項４４】
前記延長シャフトが、前記接続部を介してトルクと推力の伝達を可能にする方法で、前記ボルト又はシャフトの前記第二端部に、あるいは別の前記延長シャフトに接続される、請求項43に記載の穿孔部材又は自動穿孔ロックボルト。
【請求項４５】
対向している端部を有するビット本体と、前記両端部の間に広がる壁表面を具備するドリルビットであって、少なくとも一つのドリル先端具が一つの端部に配置され、前記ビットが、その他の端部でドリルロッドに接続されるようになっており、少なくとも一つの導管が、前記壁表面から少なくとも一つのドリル先端具まで広がる、ドリルビット。
【請求項４６】
前記壁表面が、前記一つの端部に向かって外に細くなる壁の部分を含んでいる、請求項45に記載のドリルビット。
【請求項４７】
前記シャフトが、その一つの端部に少なくとも一つのドリル先端具を受容するために配置される、請求項1から43のいずれか一項に記載の、穿孔部材又はロックボルトに使用される場合のシャフトとスリーブの組合せ装置。
【請求項４８】
請求項4に従属する場合において、前記シャフトの一つの端部が、前記ドリルビットを受容するために配置されている、請求項47に記載のシャフトとスリーブの組合せ装置。
【請求項４９】
前記ドリル先端具が、請求項45又は46のいずれかに記載されている、請求項48に記載のシャフトとスリーブの組合せ装置。
【請求項５０】
穿孔する方法であって、
穿孔する端部及び穿孔装置に接続させる反対側の端部を有する穿孔部材を使用して、穴を穿孔する段階と、
前記穴を穿孔する間、前記ボルトシャフトの外表面に沿って流体を送ることによって、前記穿孔する端部に穿孔のための流体を供給する段階と
を含んでいる穿孔する方法。
【請求項５１】
岩盤を安定化する方法であって、
穿孔する端部及び穿孔装置に接続させる反対側の端部を有する自動穿孔ロックボルトを使用して、前記岩盤に穴を穿孔する段階と、
前記穴を穿孔する間、前記ボルトシャフトの外表面に沿って流体を送ることによって、前記穿孔する端部に穿孔のための流体を供給する段階と、
前記岩盤を安定化するために前記穴の範囲で前記ロックボルトを固定する段階と、
を含んでいる岩盤を安定化する方法。
【請求項５２】
グラウト材が、前記ロックボルトを前記岩盤に固定するために、前記穴に導入される、請求項51に記載の方法。
【請求項５３】
前記ロックボルトが、前記穴の中にグラウト材を導入する以前に、前記穴の範囲に初めに固定される、請求項52に記載の方法。
【請求項５４】
前記ロックボルトが、前記穴の中の前記ボルトを固定するための固定装置を含み、且つ前記ボルトが前記穴を穿孔する間、第一の方向に回転させ、前記穴の中の前記ボルトを固定装置に固定させるために、第二の反対方向に回転させる、請求項53に記載の方法。
【請求項５５】
前記ロックボルトが、前記穴の中にグラウト材を導入する前に、前記穴の中にテンションをかけて置かれる、請求項52から54のいずれか一項に記載の方法。
【請求項５６】
前記穿孔のための流体が、前記シャフトの周囲にシャフトに沿って配置されるスリーブによって画定される、内部通路の中を前記シャフトに沿って導かれる、請求項50から55のいずれか一項に記載の方法。
【請求項５７】
前記スリーブと前記穴の側面との間に、外部通路を形成する段階をさらに具備する、請求項56に記載の方法。
【請求項５８】
流体が、内部通路又は外部通路のいずれか一方を介して穿孔する端部に流されて、その他の前記通路を介して前記穴から取り除かれる、請求項57に記載の方法。
【請求項５９】
グラウト材が、内部及び外部の各々の通路に流入する、請求項57又は58に記載の方法。
【手続補正２】
【補正対象書類名】明細書
【補正対象項目名】全文
【補正方法】変更
【補正の内容】
【発明の詳細な説明】
【技術分野】
【０００１】
本発明は、採鉱業やトンネル掘削業において使用に適する、穿孔部材及びロックボルトに関する。
【背景技術】
【０００２】
天盤や壁の支持は、採鉱及びトンネル掘削作業の重要な側面である。坑道及びトンネルの、壁及び天盤は岩盤層から成っており、崩壊の可能性を回避するために強化されなければならない。ロックボルトは、岩盤層を強化するために広く使用されている。この目的のために岩盤層を貫いて横方向に穿孔された穴の中で、ロッドはしっかり固定され、しばしば張力が作用される。一般的に、ボルトは樹脂又はセメントをベースにしたグラウト材の流体を使用して固定され、グラウト材の流体はロッドの周囲に注入されて機能する。
【０００３】
自動穿孔ロックボルトは、穿孔作業と穿孔された穴の中へボルトを挿入する作業を組合わせたものである。自動穿孔ロッドボルトは、一般的に、管状の鋼製部材の端部に取り付けられる穿孔用先端具を有しており、これにより穴の穿孔とボルトの挿入が同時に進行する。
【０００４】
上述の背景技術についての議論は、本発明に関する状況の説明の中に含まれる。引用された文書の又はその他の素材の何れもが、オーストラリアにおいて、この明細書の特許請求の範囲のいずれか一項の優先日に、すでに出版され、周知であり、又は一部は常識であるものは無い。
【発明の開示】
【発明が解決しようとする課題】
【０００５】
自動穿孔ロックボルトは、採鉱業において、一般的には使用されていない。それは洗浄用の及びグラウト材の流体の利用が可能、並びに岩盤の補強のために要求される構造強度の両方を提供するために使用する鋼製管が高価なことによる。
【課題を解決するための手段】
【０００６】
この明細書の記述と特許請求の範囲を通して、「comprise」という言葉とその変形、例えば「comprising」及び「comprises」は、その他の付加体、段階体又は完全体の排除することを意図しているものではない。
【０００７】
一番目の態様に従って、本発明は、対向している第一と第二の端部及び両端部の間に位置するシャフト（又は細長い第一部材）を有する穿孔部材を提供しており、少なくとも一つのドリル先端具が第一端部に配置され、第二端部が、ボルトを回転させてボルトを推進するための穿孔装置、及びシャフトに沿ってその周囲に位置するスリーブ（又は細長い第二部材）、及びボルトシャフトに沿って流体を通過させることが可能なスリーブとシャフトとの間に形成される通路に、接続されるようになっている。
【０００８】
この配列によって穿孔のための流体は、穿孔作業の間に岩盤面から部材の洗浄を支援するために、ボルトシャフトに沿って及び第一端部を横切って通過させもよい。この流体は、湿式穿孔工程では、水又は同様の液体であってもよいし、真空穿孔工程では、空気であってもよい。また、流体は第一端部へ通路に沿って押し出されてもよいし、又はそれに代わって、第一端部から第二端部に向かって排除されてもよい。
【０００９】
ある実施形態において、第一端部は、穿孔部材の軸から半径方向にスリーブより大きな距離を占める、少なくとも一つのドリル先端具を組込んでいる。この配置によって使用中に、外側の通路は穿孔された穴とスリーブとの間に形成される。外側の通路の形成は、穿孔された穴の中で、循環路を促進し、この循環路において流体は、一つの通路を介して第一端部へ方向付けられ、そして、穴を出るために第一端部からその他の通路に沿って進む。
【００１０】
ある実施形態において少なくとも一つのドリル先端具が、シャフトの一方の端部に固定される。別の実施形態において穿孔部材は、シャフトの端部に接続されるドリルビットをさらに含んでいて、そこにドリル先端具を組込む。
【００１１】
シャフトに沿って流体が通過できるようにするために、通路に開口部が備えられる。ある形態においては、これらの開口部は、スリーブのそれぞれの端部に、又はそれらに隣接して備えられる。さらに、シャフトの周囲にその第二端部に隣接しているカラー部品を介して、流体を通路に導入することが出来るように、導管が備えられてもよい。別の導管が、通路とドリル先端具との間で流体の流れを容易にするために、第一端部に隣接して形成されてもよい。ドリル先端具まで延びている導管の少なくとも一部分は、穿孔部材の範囲内に配置されてもよい。
【００１２】
ある形状において、シャフトは、穿孔作業中に、穿孔部材に作用する圧縮及びねじれ荷重に適応するようになっている。特定の形状において、スリーブは、シャフトよりも十分に低い強度を有する。
【００１３】
ある実施形態において、シャフトは、鋼製ロッドから形成される。代替の処置において、シャフトは、ガラス繊維のような繊維強化材料から作られる。
【００１４】
ある形状において、スリーブは、プラスチックから作られる。代替の形状において、スリーブは、金属シートから作られ、一般的には薄い金属シートである。
【００１５】
特定の実施形態において、穿孔部材は、自動穿孔ロックボルトを形成するために、穿孔部材によって穿孔された穴に、固定されるように配置される。
【００１６】
ある形状において、内部通路と外部通路が形成される場合には、通路は、穿孔された穴にグラウト材を導入するために使用され、岩盤にボルトの適切な結合を促進するために満杯にさせることもまた可能である。
【００１７】
ある形状において、シャフトにグラウト材の結合を促進するために、自動穿孔ロックボルトの外表面はざらざらしているか又は渦巻状である。ある形状において、スリーブの内部及び外表面もまた、ざらざらしているか又は渦巻状である。
【００１８】
特定な実施形態において、自動穿孔ロックボルトは固定装置をさらに包含し、固定装置は、穿孔された穴にロックボルトを保持するようになっている。
【００１９】
特定な形状において、固定装置は、装置が穴を穿孔することを妨げない縮んだ位置から、装置が穿孔された穴の中のロックボルトを保持するように配置されている拡張した位置への移動が可能である。
【００２０】
特定な実施形態において、ボルトは、穿孔作業を達成するために第一の方向に回転するするようになっていて、且つ固定装置をその縮んだ位置から拡張した位置へ移動するために、第二の反対方向に回転するようになっている。
【００２１】
スリーブは、スリーブの第一端部の方向に軸方向の力が作用すると変形されてもよく、そのように変形した場合に、スリーブはドリル先端具を越えて半径方向に拡張する。
【００２２】
ロックボルトはさらに、係合表面を包含してもよく、係合表面を横切るスリーブの相対的な運動で、スリーブは変形される。係合表面はシャフトに位置してもよい。あるいは、係合表面は、ドリルビットに位置してもよい。
【００２３】
スリーブは、軸方向の圧縮で変形してもよく、又はスリーブの変形を容易にする少なくとも一つの強度の低い領域を組込んでもよい。少なくとも一つの強度の低い領域は、スリーブに形成されるスリットの形状であってもよい。
【００２４】
ある実施形態において、固定装置は、第一端部の直近に位置し、スリーブに関してシャフトの軸方向の運動に呼応するようになっている。
【００２５】
ある形状において、固定装置は、スリーブの一部分を形成し、又はスリーブに接続される。ある形状において、固定装置は、スリーブの変形に適切に作用する。
【００２６】
ある実施形態において、固定装置は、半径方向に外に向かって変位が可能な、少なくとも一つの拡張さやの形状である。ある形状において、ロックボルトは係合表面を組込んでいて、少なくとも一つの拡張さやは、少なくとも一つの拡張さやの内表面を横切る係合表面の運動に適切に作用するようになる。
【００２７】
ある実施形態においては、自動穿孔ロックボルトは、シャフトの第二端部に隣接して、シャフトの周囲に拡張するカラー部品をさらに包含し、ボルトシャフトに沿って軸方向に変位することが出来る。
【００２８】
スリーブは、シャフトに沿ったカラー部品の運動に呼応して、シャフトに沿って変位することが出来てもよい。
【００２９】
カラー部品は、シャフトのおネジ山によってシャフトに接続されてもよく、おネジ山は、補完するカラー部品のめネジ山と螺合する。
【００３０】
ある実施形態において、ロックボルトは、カラー部品を用いる穿孔装置の接続によって、穿孔装置に接続させるようになっている。
【００３１】
ある実施形態において、自動穿孔ロックボルトは、第二端部の直近に配置される合口部材をさらに含んでいて、合口部材はシャフトに沿って変位することが可能であり、第一端部の方向に面していて、ドリル先端具よりも大きな距離で、ボルト軸から半径方向に突き出ている合口表面を有する。
【００３２】
別の実施形態において、自動穿孔ロックボルトのドリルシャフトとスリーブは、共に接続される複数の部品から、それぞれ形成される。
【００３３】
さらなる態様において、本発明は、上述したような穿孔部材又はロックボルトの使用のためのシャフトとスリーブの組合せ装置を提供する。シャフトは、その第一端部にドリル先端具を受容するように配置される。ドリル先端具は、シャフトに直接接続されてもよく、又は代替として、シャフトに固定されるドリルビットに設置されてもよい。
【００３４】
さらなる態様において、本発明はドリルビットを提供し、ドリルビットがビット本体と、少なくとも一つのドリル先端具と、ビットとを包含していて、ビット本体が対向している端部と、両端部の間に広がる壁表面を有し、少なくとも一つのドリル先端具が、一つの端部に配置され、ビットが、その他の端部でドリルロッドに接続されるようになっていて、少なくとも一つの導管が、壁表面から少なくとも一つのドリル先端具まで広がっている。
【００３５】
ドリルビットは、外面的に先細りである壁表面から一つの端部の方向に、壁の部分をさらに含んでもよい。
【００３６】
本発明のさらなる態様に従って、穿孔する方法が提供される。穿孔する方法は、穿孔する端部と穿孔装置に接続される反対側の端部とを有する穿孔部材を使用して、岩盤に穴を穿孔すること、及びボルトシャフトの外表面に沿って液体を送ることによって、穴の穿孔作業中に、穿孔する端部に穿孔のための流体を供給することを包含する。
【００３７】
本発明のさらなる態様に従って、岩盤を安定させるための方法が提供される。岩盤を安定化する方法は、穿孔する端部と穿孔装置に接続させる反対側の端部を有する自動穿孔ロックボルトを使用して、岩盤に穴を穿孔すること、ボルトシャフトの外表面に沿って流体を送ることによって、穴の穿孔作業中に、穿孔する端部に穿孔のための流体を供給すること、及び岩盤を安定化するために穴の中にロックボルトを固定することである。
【００３８】
穿孔のための流体は、シャフトの周囲にシャフトに沿って配置されるスリーブによって画定される通路に、シャフトに沿って導かれてもよい。
【００３９】
さらなる通路が、スリーブと穴の側面との間に形成されてもよく、穿孔のための流体が、一つの通路を介して穿孔する端部に流されて、その他の通路を介して、穴から除かれる。
【００４０】
穿孔のための流体は、第二端部から穿孔する端部へポンプで送られてもよく、又は流体が、吸引処理で第二端部の方向に排除されてもよい。
【００４１】
グラウト材は、岩盤にロックボルトを固定するために、穴の中へ導入されてもよい。
【００４２】
ロックボルトは、グラウト材を穴の中へ導入する前に、最初に、穴の中にしっかりと固定されてもよい。
【００４３】
上述されたいかなる形状のものであれ、穿孔部材又はロックボルトのシャフトは、例えば、円形断面を有する中空ロッドでも、円形断面を有する中実ロッドでも、非円形断面を有する中空ロッドでも、又は非円形断面を有する中実ロッドであってもよい。さらに、シャフトは、軸方向に滑らかな外側表面を、又はそれに代わるものとして、ざらざらした又はでこぼこした表面を特徴としてもよく、ざらざらした又はでこぼこした表面は、グラウト材と細長い第一部材との間の付加的な接合を提供する。
【００４４】
スリーブは、例えば円形断面を有する中空ロッドでも、非円形断面を有する中空ロッドでもよい。スリーブの内部と外部の表面は、滑らかであり、又はそれに代わるものとして、ざらざらした又はでこぼこした表面であってもよく、ざらざらした又はでこぼこした表面は、グラウト材とスリーブとの間、及びスリーブと岩盤面との間に付加的な接合を提供する。さらに、スリーブはグラウト材の流体とスリーブとの間に、付加的な接合を提供するために波形であってもよく、波板は、スリーブの内表面と外表面との間で圧力の伝達を提供する。波板は、螺旋状又は放射状であってもよくて、波板の幅は、スリーブの半径に比例してもよい。
【００４５】
シャフトは、例えば構造部材としての役割に適した鋼のような、高い引っ張り強度の材料から形成されてもよい。
【００４６】
シャフトは、構造部材としての、及び一度、ボルトが穿孔によって岩盤面に配置されたとしても切り離すことが出来る構造部材としての両方の役割に適した、例えばガラス繊維のような、高い引っ張り強度の材料から形成されてもよい。これは、ボルトで固定された岩盤面を、その後、掘削することが可能になる。
【００４７】
スリーブは、例えば金属、又は複数の細長い金属部材及び安価なプラスチック管の複合体のような材料から構成されてもよく、拡張さやとの係合を可能にするために、十分な長手方向の軸剛性を有している。これに代わるものとして、スリーブは、不連続な鋼製の端部カラーを備えるプラスチック管から成ってもよい。
【００４８】
アクセス導管とシャフトは、鍛造されてもよい。
【００４９】
ある実施形態において、シャフトの第一端部は、ドリルビット手段を含み、ドリルビット手段は、穿孔作業とグラウト作業の間に、材料の流入と流出を可能にするための少なくとも一つのアクセス導管を含んでもよい。
【００５０】
スリーブは、金属、又は複数の細長い金属部材と廉価なプラスチック管の複合体のような材料を含んでもよい。代替として、スリーブは、プラスチック管を含んでもよい。好ましくは、プラスチック管は、ポリエチレンのような長寿命のプラスチックから作られる。プラスチックは、非腐食性であり、もしもグラウト材の中で亀裂が生じた場合、プラスチック管は、亀裂の伸展を止めるバリアとして作用し、ロックボルトの寿命を縮めることになるボルトの浸水及び腐食を不可能にする。
【００５１】
ある実施形態において、シャフトの第二端部は、延長シャフト（又は細長い第三部材）の第一端部にさらに装着するようになっていて、スリーブは、延長スリーブ（又は細長い第四部材）の第一端部に装着するようになっている第二端部を含んでいる。
【００５２】
一般的に、シャフトは、延長シャフトと共に固定された時に、少なくとも一つの回転方向で、二つのシャフトの間の相対的な回転をほぼ防止するために、延長シャフトの固定が可能であるように配置される。
【００５３】
ロックボルトは、上述の形状で延長シャフトと延長スリーブを付加的に含んでもよい。
【００５４】
穿孔装置は、第一の回転方向で岩盤を介して回転してドリルビット手段を進出するために（カラー部品を介するある形態で）、及び第一の回転方向で固定装置を機能するためにある形態で、シャフトの第二端部に取り外しが可能として接続される、回転駆動手段を含んでもよい。
【００５５】
代替として、穿孔装置は、第一の回転方向で岩盤を介して回転してドリルビット手段を進出するために、及び第二の反対方向の回転で固定装置を機能するために、装着手段に取り外しが可能として接続される回転駆動手段を含んでもよい。
【００５６】
一般的にグラウト材は、穿孔作業及び細長い第二部材の横方向の拡張の後で、シャフトとスリーブとの間のキャビティに注入される。
【００５７】
プレートが、シャフトに装着されてもよく、プレートは、第一の回転方向で、装着手段とシャフトとの相対的な回転を、ほぼ防止するために配置される。
【００５８】
さらなる態様において、本発明は、穿孔する方法を提供していて、方法は、（a）シャフトの第一端部領域の、シャフトと岩盤面、及びスリーブと岩盤面との間に大量の冷却剤を流しながら岩盤面にドリル部材を打ち込むことと（b）所望する深さの穴が穿孔されると、岩盤からドリル部材を取り除くこととからなっており、ドリル部材は、シャフトとスリーブを含み、シャフトは、岩盤を貫通するようになっている第一端部と、駆動手段を装着するようになっている第二端部とを包含する。
【００５９】
冷却用及び／又は洗浄用の流体は、液体(例えば水）又はガス(例えば空気）であってもよい。
【００６０】
冷却用及び／又は洗浄用の流体と、グラウト材の流体は、一つ又はそれ以上のアクセス導管を介して注入されてもよい。
【００６１】
シャフトは、岩盤を貫通する手段、例えばドリルビットを受容するようになっている第一端部を含むこともある。これは、摩損や特定の条件に適応するために、ドリルビットを交換することが可能である。
【００６２】
更なる態様において、本発明は、岩盤を支持する方法を提供していて、方式は、（a）シャフトとスリーブとの間のキャビティを介して、シャフトの第一端部の領域で岩盤面を通り過ぎて、冷却剤を大量に流しながら、岩盤面にロックボルトを打ち込むことと、（b）シャフトと岩盤面、及びスリーブと岩盤面のそれぞれの間にグラウト材の流体を注入することと、（c）グラウト材の流体が固化するまでの設定された時間を待つこととからなっており、ロックボルトは、シャフトとスリーブを含み、シャフトは、岩盤を貫通するようになっている第一端部と、駆動手段を装着するようになっている第二端部とを含む。
【００６３】
さらなる態様において、本発明は、岩盤を支持する方法を提供していて、方法は、（a）（b）（c）（d）（e）（f）の各工程から成っている。（a）は、シャフトとスリーブとの間のキャビティを介して、シャフトの第一端部の領域で岩盤面を通り過ぎて、冷却剤を大量に流しながら、岩盤面にロックボルトを打ち込む工程であって、ロックボルトは、シャフトとスリーブを含み、シャフトは、岩盤を貫通するようになっている第一端部と、駆動手段を装着するようになっている第二端部とを含んでおり、（ｂ）は、細長い第三部材と細長い第四部材とからなる延長ロッドを供給して、シャフトの第二端部に細長い第三部材を固定することによってシャフトの長さを延長する工程であって、細長い第三部材は、少なくとも穿孔する回転方向で、シャフトと細長い第三部材との間の相対的な回転をほぼ防止するために、シャフトの第二端部と固定するようになっている第一端部を含み、細長い第四部材は、スリーブの第二端部に装着するようになっている第一端部を含んでおり、（c）は、細長い第四部材の第一端部を、スリーブの第二端部に装着することによって、スリーブの長さを延長する工程であって、（d）は、適切な深さに到達するまで、（a）、（b）及び（c）の工程を繰り返す工程であって、（e）は、シャフト、スリーブ、延長ロッド及び岩盤面のそれぞれの間にグラウト材の流体を注入する工程であって、（f）は、グラウト材の流体が固化するまでの設定された時間を待つ工程である。
【００６４】
方法が、シャフトを有するロックボルトを使用することをさらに含むこともあり、シャフトは、岩盤を貫通するようになっている第一端部と、横方向に拡張するようになっているスリーブの一部分よりも大きな横方向の寸法の一部分をまた含んでいる。
【００６５】
方式は、めネジ山が切られたカラーを介して、ロックボルトに張力を作用することをさらに含むこともある。
【００６６】
冷却用の及び／又は洗浄用の流体、及びグラウト材の流体は、一つ又はそれ以上のアクセス導管を介して注入されてもよい。
【００６７】
方法は、細長い第三部材と細長い第四部材との間に広がるキャビティを介して、シャフトとスリーブとの間にあるキャビティへ、及びシャフトの第一端部の領域の岩盤面を通過して、洗浄用、冷却用、及びグラウト材の流体を流すことを、さらに含むこともある。
【００６８】
方法で使用されたロックボルトのスリーブは、横方向に拡張するようになっている固定装置を追加的に含んでもよい。この場合に、（b）の工程より以前に、スリーブは、横方向に拡張するようになっている固定装置を横方向に拡張させ、岩盤面にボルトを保持するために、シャフトの第一端部に向かって長手方向に動かされてもよい。長手方向の運動は、シャフト及び／又はスリーブの回転によって引き起こされてもよく、これによって、シャフトがシャフトの第一端部の方向へスリーブを押すことになる。
【００６９】
長手方向の運動が、シャフトとスリーブの相対的な回転により引き起こされてもよく、スリーブをシャフトの第一端部の方向に押して、横方向の拡張するようになっている部分が拡張する。
【００７０】
ロックボルトが、そこでシャフトのさらに相対的な回転によって張力を作用させてもよい。
【００７１】
本発明の実施形態は、例証のみの方法で、添付された図面を参照してここに述べられる。図面と実施形態の詳細が、本発明の上述の一般性に取って代わるものでないことは、理解されるべきだろう。
【発明を実施するための最良の形態】
【００７２】
図1aは、細長い第一部材又はシャフト、１１及び細長い第二部材又はスリーブ、１２を含む、本発明の実施形態のロックボルト１０を示している。
細長い第一部材１１は、細長い第二部材１２の少なくとも部分的に長手方向の内側に配置されている。細長い第一部材１１は、第一端部１３と第二端部１４を含んでいる。第一端部１３はボルト１０の第一端部であり、手段の形態においては、本実施形態の岩盤を貫通するようになっているドリルビットである。第二端部１４はボルトの第二端部であり、おネジ山が切られ、カラー部品１５を装着する。カラー部品１５はめネジ山又は補完する内側のネジ山を有し、めネジ山は、図1bに示される六角形の係合領域によって、駆動手段を装着するようになっている。細長い第二部材１２は、拡張さや１６の形状において、固定装置の設備を介してその長さの少なくとも一部分に沿って、横方向に拡張するようになっている。
【００７３】
図2に示されるように、操作中に、図1のロックボルト１０は、穿孔装置（図示されていない）を、めネジ山が切られたカラー部品１５に取り付けて、カラー部品１５と細長い第一部材１１とドリルビット手段１３を回転させることによって、岩盤壁に打ち込まれる。細長い部材１１と１２との間の、導管、キャビティ、又は通路、１７が備えられ、穿孔作業の間、水又は空気を運ぶために使用される。これにより、穿孔による残留物は洗い流され、ドリルビット手段１３の温度を下げる。穿孔作業とロックボルト１０の岩盤への挿入の後に、内部にネジ山が切られたカラー部品１５は、反対に回転され、めネジ山が切られたカラー部品１５に補完するおネジ山に沿って、細長い第一部材１１の第一端部１３に向かって進出する。軸方向の力によるカラー部品１５の進出は、細長い第二部材１２の第一端部に向かって同一線上に進出することになる。細長い第二部材１２の進出は、本実施形態では拡張さや１６となっている固定装置が、拡張さやの非拡張時の横方向の寸法より大きな横方向の寸法を有する、細長い第一部材の一部分と係合に至る。この係合によって生じた横方向の力は、拡張さや１６の横方向に拡張した形状となって変形を生じ、それ故、ロックボルト１０をドリルビット手段１３によって穿孔された穴に締め付けて動けなくする。拡張さや１６の形状をした固定装置は、細長い第二部材１２にスリット形状の弱い部分を少なくとも一つ組込んでいる。細長い第一部材１１の第二端部１４は、ネジ山が切られたカラー部品１５が外れないように（例えば、細長い第一部材１１の端部を介して装着された、平形くさび又はスプリングピンのようなピンを備えることによって）適応している。
グラウト材はまた、細長い部材の間の導管、キャビティ、又は通路１７に、付加的な補強のために注入される。
【００７４】
図3a、b、cは、本発明の実施形態のロックボルト２０を示していて、細長い第一部材又はシャフト、２１及び細長い第二部材又はスリーブ、２２を含んでいる。細長い第一部材の第一端部２１は、岩盤貫通手段又はドリルビットのような、くさび形の切断ヘッドの形状の一体化ドリル先端具２３を含んでいる。ドリル先端具は細長い第二部材の範囲より大きな範囲で、ボルトの軸から半径方向に広がっている。細長い第一部材２１の第二端部は、おネジ山を切った部分２４を含んでいて、おネジ山に、めネジ山の又は補完する内側のネジ山が切られたナット又はカラー部品、２５を装着する。細長い第二部材２２は、一つの端部に配置された、低強度の壁及びより高強度の拡張さや又は固定装置、２７を有する細長い中空のチューブ２６から成っている。細長い、第一と第二の部材２１、２２の第一端部は、ボルト２０の第一端部に対応する。
図3aは、細長い第二部材２２から切り離された細長い第一部材２１を示している。
図3bは、ドリル先端具２３及び、ドリル駆動手段又はナット２５に作用する穿孔装置（図示されていない）によって、第一の回転方向で壁の中へ打ち込まれるロックボルトを示す。細長い部材２１の端部は、ナット２５が外れないように（例えば、細長い部材２１の端部に装着されるワッシャーを備えることによって）適応する。細長い第一部材２１は、拡張さや２７の上に突き出ているドリル先端具２３を備えた細長い第二部材２２の範囲で部分的に配置さる。ドリル先端具２３は、細長い第一部材２１及び細長い部材２２の両方を受容するために、十分な大きさの穴を穿孔する大きさになっている。所望する深さにおいて、ナット２５は、第二の回転方向で、ナット２５を回すことによって締められる。締付けナット２５が、細長い第二部材２２と隣接するワッシャー２８を押すために、ワッシャー又は合口部材、２８は、壁に穿孔された穴よりも大きく広がっていて、細長い第二部材２２の拡張さや２７にドリル先端具２３との隣接を促進する。ワッシャー２８は、ボルトの第一端部の方向に面する合口表面を有して、ボルトの軸から半径方向にドリル先端具２３よりも大きな距離を突き出している。ドリル先端具２３は、拡張さや２７の内径寸法よりも大きな外径寸法で広がる部分を有していて、これによって、締付けナット２５が、ドリル先端具２３対して拡張さや２７を圧迫するにつれて、拡張さや２７は、ドリル先端具２３に適応するために拡張して、この拡張により、拡張さや２７は、穴の側面に接することを強いられる。図3cは、細長い中空チューブ２６を用いるこの手順の最終段階のロックボルト２０を示していて、細長い中空チューブ２６は、チューブに作用する軸方向の力によって、ゆがめられ、又は変形された低強度の壁と、穴の壁と接触するように拡張されたより高強度の拡張さや２７を有する。
【００７５】
図4aは、本発明の実施形態の別のロックボルト３０を示している。ロックボルト３０は、細長い第一部材又はシャフト、３１及び細長い第二部材又はスリーブ、３２から成っている。細長い第一部材又はシャフト、３１は、細長い第二部材３２の部分的に長手方向の内側に配置される。細長い第一部材３１は、おネジ山３３を備える第一端部と、図4aのC-C矢視に沿った断面図の図4bの平面図で示される、駆動要素又は装着手段、３５を備える第二端部とを含んでいる。図4ｂに示されているように、駆動要素３５は、アクセス穴又は導管、３６によって囲まれている。細長い第二部材３２は、第二端部３９に配置される拡張さや３８の形状で、固定装置を含んでいる。岩盤を貫通する手段又はドリルビットは、ドリル先端具４０の形状をしていて、おネジ山３３に螺合するネジ山４１が、内側に切られていて、ネジ山４１に隣接するアクセス穴４２と中央洗浄用穴４３とを含んでいる。これらは、それぞれA-A矢視とB-B矢視に沿った図4ｃと図4ｄの断面図で示される。おネジ山３３は、ドリル先端具４０の逆回転を防止するために、細長い第一部材３１の第一端部で、軸に直角に置かれたプレート部材４５を含んでいる。ドリル先端具４０は、先細の下方端部４４を包含する。ドリル先端具４０は、おネジ山３３を介して第一端部に装着される。ドリル先端具４０は、拡張さや３８を越えて突き出していて、ロックボルト３０を受容するために十分な直径の穴を穿孔する寸法になっている。洗浄用穴又は導管、４３及びアクセル穴３６と４２は、穿孔工程を支援するために、穿孔作業中の材料の流入及び流出を可能にする。穿孔作業は、駆動要素３５に穿孔機又は装置を取付けることによって作動する。必要な深さの穴が穿孔されると、穿孔機は反転し、ネジ山４１に第一端部３７のおネジ山がねじ込まれ、ドリル先端具４０を拡張さや３８へ押し付けて、拡張さや３８を拡張させる。プレート部材４５は、穿孔作業中にドリル先端具４０が外れて、細長い第一部材が回転することを防止するために、ドリル先端具４０のどのようなさらなる相対的な回転も抑制する。
【００７６】
図5aは、本発明のさらなるロックボルト５０を示す。ロックボルト５０は、細長い第一部材又はシャフト、５１、及び細長い第二部材又はスリーブ、５２を含んでいる。細長い第一部材５１は、細長い第二部材５２の部分的に長手方向の内側に配置される。細長い第一部材５１は、第一端部５３と第二端部５４を含んでいて、第二端部５４は、ドリル駆動手段又は穿孔装置（図示していない）を受容することが出来る、ナット又はカラー部品、５４ａを受容するようになっている。第二端部５４は、ナット５４ａが外れないために装着された、軸と垂直方向に置かれたプレート部材５５を含んでいる。細長い第一部材５１もまた、長手方向の溝５６を含んでいる。ドリルビット手段６０の形状の岩盤を貫通する手段は、端部６１で細長い第一部材５１の第一端部５３に突合せ溶接するようになっている。ドリルビット手段６０は、切断ヘッド又はドリル先端具、６２、及びおネジ山６４を含んでいて、おネジ山６４は、先細のカラー又は係合表面、６３の内側にある、めネジ山６５に螺合する。先細のカラー６３の幅の広い部分は切断ヘッド６２に向かって配置され、幅の狭い部分は、端部６１に向かって配置されていて、アクセス穴又は導管、６６を含んでいる。さらに、ドリルビット手段６０の先細のカラー６３は、導管６７及びめネジ山６５を含んでいて、図5aのA-A矢視に沿った断面図で示される。ドリルビット手段６０は、端部５３に突合せ溶接される。ドリルビット手段６０は、細長い第二部材５２の第一端部５７を越えて突き出ている。先細のカラー６３の下方端部は、先細のカラー６３の幅が、細長い第二部材５２の内径と一致するまで、ドリルビット手段６０が、細長い第二部材５２の内側を通過することを可能にする。ドリルビット手段６０は、ロックボルト５０を受容するのに十分な直径の穴を穿孔する寸法になっている。溝又は導管、５６は、穿孔工程を支援するために、穿孔作業中に、材料の流入と流出を可能にする。穿孔作業は、穿孔装置をナット５４ａに装着することによって駆動する。必要な深さの穴が穿孔されると、ドリル装置は逆回転して、ナット５４ａをワッシャー又は合口部材、５８に、そしてワッシャー５８を壁に押し付ける。ナット５４ａの逆回転を続けると、細長い第二部材をその位置に残したままで、細長い第一部材５１を壁から引き戻すことによって、先細のカラー６３を細長い第二部材５２の第一端部５７に押し付ける。これにより固定装置又は端部５７は拡張して穴の壁に係合する。
【００７７】
図6aは、本発明の五番目の実施形態のロックボルト７０を示している。ロックボルトの部品で、三番目の態様の部品と一致しているところは、図5aの符番が使用される。ロックボルト７０は、細長い第一部材又はシャフト、７１、及び細長い第二部材又はスリーブ、７２を含んでいる。細長い第一部材７１は、細長い第二部材７２の部分的に長手方向の内側に配置される。細長い第一部材７１は、第一端部７３Ａと第二端部７３Ｂを含んでいて、第二端部７３Ｂは、ドリル駆動手段（図示していない）を受容出来るナット又はカラー部品、５４ａを受容するようになっている。第二端部７３Ｂは、ほぼＴ字形の穴５５Ａを含み、穿孔工程を支援するために穿孔作業中、材料の流入と流出を可能にする。細長い、第一と第二の部材７１と７２の第一と第二の端部は、ロックボルト７０の第一と第二の端部に対応している。ナット５４ａが外れないように、且つナット５４ａを回転させることがすなわち細長い第一部材を回転させることになるように、ナット５４ａは、細長い第一部材７１に溶接される。細長い第一部材７１の第一端部７３Ａは、ドリルビットの形状で、岩盤を貫通するようになっている手段７４を含む。ドリルビット手段７４は、切断ヘッド又はドリル先端具７５と、洗浄用の及びグラウト材の流体のための復路を備える導管７６とを含んでいて、A-A矢視に沿った図6cの断面図で示される。ドリルビット７４は、例えばロー付け、突合せ溶接、鍛造、又はその類似の方法で、細長い第一部材７１の第一端部７３Ａに適切に装着される。ドリルビット７４は、細長い第二部材７２の端部７３Ｃを越えて突き出る。ドリルビット７４は、ロックボルト７０を受容するのに十分な直径の穴を穿孔する寸法になっている。細長い第二部材７１は波形になっていて、波形は細長い第二部材７１の内表面と外表面との間の圧力を伝達する。この波形は、螺旋状でも放射状でもよく、波形の深さは細長い第二部材の半径に比例する。図6dは、細長い第二部材７２の波形を詳細に示す。細長い第二部材は、その内側表面と外側表面に波形を有していて、波形はその頂点７９ａと谷７９ｂによって画定される。波板は、図6dの概念上の中心軸が頂点７９ａと谷７９ｂの両方の領域に入るように、十分な振幅を持っている。
上記で述べたそして以下に述べるどの実施形態に従うボルトであっても、波形の細長い第二部材を含んでよい。
【００７８】
細長い第二部材７２は、例えば、先細のカラー又は係合表面、ワッシャー又は合口部材等によって、適切に然るべき位置に維持される。穿孔作業は、穿孔機又は装置（図示されていない）をナット５４ａに装着することによって駆動し、第一の回転方向で細長い第一部材７１とドリルビット７４を回転させる。岩盤にドリルビット手段を係合させることは、穿孔装置の回転運動に連動して、岩盤面に対して長手方向の（軸方向の）圧力を掛けることを必要とする。穿孔作業中、ドリルビット７４は冷却剤によって冷却され、冷却剤は岩盤面と細長い第二部材７２との間の第二キャビティ７８に注入される。冷却剤は、岩盤面と第二部材との間の第二キャビティ７８に流入し、また流出する。必要な深さの穴が穿孔されると、グラウト材の流体が第一と第二の部材との間の環状の第一キャビティ又は通路、７７へ、第一キャビティ７７がグラウト材の流体で満杯になるまで注入される。グラウト材の流体はまた、第二キャビティ７８に注入されてもよい。冷却液もまた、第一キャビティへ注入され、又は流出してもよい。第一キャビティと第二キャビティとの間に循環路が出来きてもよい。ボルト７０はそこで、グラウト材の流体の中に固化のために残される。概ね、細長い第一部材のＴ字型導管のようなものは、示された本発明のどの実施形態にも使用することが出来るだろう。このような導管は、ナットを細長い第一部材に固定するために、割りピンが使用されない場所で特に使用される。
【００７９】
図7aは、本発明の六番目の実施形態の別のロックボルト８０を示す。ロックボルトの部品が、五番目と六番目の態様の部品と一致するところでは、図5aと6aの符番が使用される。ロックボルト８０は、細長い第一部材又はシャフト、８１、及び細長い第二部材又はスリーブ、８２を含んでいる。細長い第一部材８１は、細長い第二部材８２の部分的に長手方向の内側に配置される。好ましくは、拡張可能な端部カラー８７は、鋼のような高圧縮強度の材料から作られる。細長い第一部材８１は、第一端部８３Ａと第二端部８３Ｂを含んでいて、第二端部８３Ｂは、穿孔駆動手段又は穿孔装置（図示されていない）を受容することが出来る、ナット又はカラー部品、５４ａを受容するようになっている。細長い第二部材８２の第一端部８３Ａは、拡張可能な端部カラー８７の形状の固定器具を含んでいて、端部カラー８７が拡張して、穿孔された穴の側面に接する。第二端部８３Ｂは、割りピン又はスプリングピンのような軸と垂直方向に配置されたピン５５Ａを含んでいて、これは、ナット５４ａの下で細長い第一部材８１を介して設置される。これにより、一方向にナット５４ａを取り外すことが出来ず、且つナット５４ａを回転させることはまた、細長い第一部材８１も回転させる。細長い第一部材８１はまた、長手方向の溝５６の形状のアクセス導管を含む。細長い第一部材８１の第一端部８３Ａは、岩盤を貫通するようになっているドリルビット手段８４を含む。
【００８０】
ドリルビット手段８４は、切断ヘッド又はドリル先端具、８５、及び先細のカラー又は係合表面、８６を含む。先細のカラー８６の幅の広い部分は、切断ヘッド８５に向いて、幅の狭い部分は、端部カラー８７に向いて配置され、アクセス穴又は導管、８７Ａを含んでいる。さらに、ドリルビット手段８４の先細のカラー８６は、半径寸法より小さな導管９０を含んでいて、先細のカラー８６のその他の部分は、洗浄用の及びグラウト材の流体のための復路を備えている。これは図7aのA-A矢視に沿った断面図で示される。ドリルビット手段８４は、例えば、ロー付け、突合せ溶接、鍛造、又はその類似の方法によって、先細のカラー８６に適切に装着される。先細のカラー８６は、細長い第二部材８２の端部８３Ｃを越えて突出する。先細のカラー８６の下方端部は、カラー８６の幅が細長い第二部材８２の内径とぴったり一致するまで、先細のカラー８６が細長い第二部材の内側を通過することを可能にする。ドリルビット手段８４は、ロックボルト８０を受容するのに十分な直径の穴を穿孔する寸法になっている。溝５６の形状のアクセス導管は、穿孔工程を支援するために、穿孔作業中、材料の流入及び流出を可能にする。穿孔作業は穿孔機、又は装置（図示されていない）を、ナット又はカラー部品、５４ａに装着することによって駆動させ、第一の回転方向に細長い第一部材８１及びドリルビット手段８４を回転させる。岩盤にドリルビット手段８４を係合するには、穿孔装置の回転運動に連動して、岩盤面に対して長手方向の（軸方向の）圧力を掛けることが必要である。穿孔作業中、ドリルビット手段８４は、細長い第一部材８１の第二端部８３Ｂで、アクセス導管５６を介して注入される、冷却剤によって冷却される。冷却剤は、細長い、第一と第二の部材との間の第一キャビティ又は通路、８８に流入し、ドリルビット手段８４のアクセス導管８７Ａ及び洗浄用穴９１を介して第一キャビティ８８から流出して、その後で岩盤面と細長い第二部材８２との間の第二キャビティ８９にフラッシュバックされる。必要な深さの穴が穿孔されると、ナット５４ａをワッシャー５８に押し付け、ワッシャー５８を壁に押し付けるために、穿孔機は逆回転して、ワッシャー５８が細長い第二部材８２を先細のカラー８６に押し付ける。代替として、ナット５４ａをワッシャー５８に押し付け、ワッシャー５８を壁に押し付けるために、穿孔機はさらに回転して、ワッシャー５８が細長い第二部材８２を先細のカラー８６に押し付ける。穿孔及び岩盤の中にロックボルトの挿入に続いて、グラウト材の流体が、細長い第一部材８１の第二端部８３Ｂで、アクセス導管５６を介して注入される。グラウト材の流体は、第一と第二の部材の間の第一キャビティ８８又は通路、８８に流入し、ドリルビット手段８４のアクセス導管８７Ａと洗浄用穴９１を介して、第一キャビティ８８から流出して、その後で、岩盤面と細長い第二部材８２との間の第二キャビティ８９を通ってワッシャー５８の方向にフラッシュバックされる。グラウト材の流体は、両キャビティ８８と８９が、グラウト材の流体で満杯になるまで注入され、ボルト８０はこの時、グラウト材の流体の中に固化のために残される。グラウト材の流体が固化すると、ロッ���ボルトは、めネジ山が切られたカラーを使用して、随意に張力を作用させることが可能になる。
【００８１】
図8a、8b、及び8cは、本発明の七番目の実施形態のロックボルト２０を示している。ロックボルトの部品が、第二態様の部品に一致するところでは、図３の符番が使用される。ロックボルト２０は、細長い第一部材又はシャフト、２１、及び細長い第二部材又はスリーブ、２２を含んでいる。細長い第一部材２１の第一端部は、岩盤を貫通する手段として、くさび形の切断ヘッドの形状をした一体化ドリル先端具２３を含んでいる。細長い第二部材２１の第二端部は、おネジ山が切られた部分２４を含んでいて、それに、めネジ山が切られた、又は補完する内側のネジ山を備えるカラー部品２５を装着する。細長い第二部材２２は、低強度の壁と、一方の端部に配置された高強度の端部カラー又は固定装置、９９を有する細長い中空管２６から成っている。
【００８２】
図8aは、細長い第二部材２２から分離された細長い第一部材２１を示す。
図8bは、ドリル先端具２３とドリル駆動手段（図示されていない）によって、第一の回転方向で壁の中に穿孔するロックボルト２０が示されて、ドリル駆動手段はカラー部品２５によって提供される装着手段によって機能する。細長い部材２１の端部は、（例えば、細長い部材２１の端部に取付けられるプレートを備えることによって、）カラー部品２５が外れないように適応する。細長い第一部材２１は、端部カラー９９を越えて突き出るドリル先端具２３を有する細長い部材２２の範囲内に部分的に配置される。ドリル先端具２３は、細長い第一部材２１と細長い第二部材２２の両方を受容するのに十分な大きさの穴を穿孔することが出来る寸法である。所望される深さにおいて、カラー部品２５は締付けられる。ワッシャー又は接合部材、２８は壁に穿孔された穴より大きく広がっている。これにより、締まっているカラー部品２５は、ワッシャー２８を押して細長い第二部材２２と隣接し、そこで細長い第二部材２２も押されて、端部カラー９９に隣接する。ドリル先端具２３は、外径寸法が端部カラー９９の内径寸法よりも大きな広がり部分を有している。これにより締まっているカラー部品２５が、細長い第二部材２２を端部カラー９９に押し付けるから、細長い第二部材２２は、細長い第一部材２１の第一端部の方向で、それに掛かる軸方向の力によってゆがむ又は変形して、細長い第二部材が穿孔された穴の側面に接触させられる。図8cは、細長い中空管２６を用いるこの手順の最後におけるロックボルト２０を示していて、細長い中空の管２６は、この管に作用する力によってゆがむ強度の低い壁を有していて、穴の壁と接触する。穿孔作業と岩盤へロックボルト２０の挿入に続き、グラウト材の流体が細長い第一部材２１の第二端部９６にあるアクセス導管９２を介して注入される。グラウト材の流体は、第一と第二の部材の間の第一キャビティ又は通路、９７に流入し、ドリル先端具２３にあるアクセス導管９３及び、洗浄用穴又は導管、９４を介して第一キャビティ９７から流出して、その後に、岩盤面と細長い第二部材２２との間の第二キャビティ９８の中を、ワッシャー又は接続部材、２８の方向にフラッシュバックする。グラウト材の流体は、両方のキャビティ９７と９８がグラウト材の流体で充満するまで注入され、ボルト２０は、グラウト材の流体の中に固化のために残される。
【００８３】
図9aは、本発明の第八実施形態のドリル１００を示す。このドリル１００は、細長い第一部材又はシャフト、１０１、及び細長い第二部材又はスリーブ、１０２を含んでいる。細長い第一部材は、細長い第二部材１０２の部分的に長手方向の内側に配置される。細長い第二部材は第一と第二の端部、１０３Ｃと１０３Ｄを有している。細長い第一部材１０１は、第一端部１０３Ａと第二端部１０３Ｂを含み、第二端部１０３Ｂは、装着手段として、ドリル駆動手段、例えば、穿孔装置（図示されていない）を受容することが出来る駆動要素１０４を含んでいる。駆動要素１０４を回転させると、細長い第一部材１０１もまた回転する。細長い第一部材１０１の第二端部１０３Ｂは、さらにおネジ山１０５を含んでいる。細長い第一部材１０１の第一端部１０３Ａは、岩盤を貫通するようになっているドリルビット手段１０６を含んでいる。あるいは第一端部１０３Ａは、岩盤を貫通するためのドリルビット手段を受容するようになっていてもよい。ドリルビット手段１０６は、切断ヘッド又はドリル先端具、１０７、及び中央洗浄用穴１０９を包含する。ドリルビット手段１０６は、洗浄用の及びグラウト材の流体ための復路となる導管１０８を包含し、図9aのA-A矢視に沿った断面図に示される。ドリルビット手段１０６は、例えばロー付け、突合せ溶接、鍛造、又はその類似の方法によって細長い第一部材１０１に、適切に装着される。
【００８４】
穿孔作業は、穿孔機械（図示されていない）を駆動要素１０４に装着することによって駆動されて、第一の回転方向に細長い第一部材１０１及びドリルビット手段１０６を回転する。岩盤とドリルビット手段１０６の係合には、穿孔装置の回転運動に連動した岩盤面に対して長手方向の圧力を加えることが必要である。穿孔作業の間、ドリルビット手段１０６は冷却剤により冷却される。この冷却剤は、細長い、第一と第二の部材１０１、１０２の間にある第一キャビティ又は通路、１１０Ａに注入される。冷却剤は、中央洗浄用穴又は導管、１０９を介して第一キャビティ１１０Ａに流入し、導管１０８を通過して、岩盤面と第二部材との間の第二キャビティ１１０Ｂから流出する。あるいは、流れの方向を逆にすることも出来る。必要な深さの穴か穿孔されると、穿孔機械は穴から取り除かれ、穴は、例えば、爆薬や補強ケーブルを挿入するために使用することが出来る。ドリル１００は、それからさらに深い穴を穿孔するために使用することが出来き、ドリルビット手段１０６は、必要な時には、例えば、磨耗した切断ヘッド又はドリル先端具、１０７の交換のために、又は様々な穿孔作業条件に対して、さらなるドリルビット手段１０６と交換することが出来る。
【００８５】
図10aは、本発明のさらなる実施形態のロックボルト１１１を示していて、細長い第一部材又はシャフト、１１２、及び細長い第二部材又はスリーブ、１１３とを包含する。細長い第一部材１１２は、第一と第二の端部、１１４Ｃと１１４Ｄを有する細長い第二部材１１３の部分的に長手方向の内側に配置される。細長い第一部材１１２は、第一端部１１４Ａと第二端部１１４Ｂを包含し、第二端部１１４Ｂは、装着手段として、例えば、穿孔装置（図示されていない）のようなドリル駆動手段を受容できる駆動要素１１５を包含している。駆動要素１１５が回転すると、細長い第一部材１１２もまた回転する。細長い第一部材１１２の第二端部１１４Ｂは、図10bに示される細長い第三部材１１２Ｂの第一端部１２１Ａのめネジ山１２２を回転して固定をする、おネジ山１１６をさらに包含する。細長い第一部材１１２の第一端部１１４Ａは、岩盤を貫通するようになっているドリルビット手段１１７を包含する。あるいは、第一端部１１４Ａは、岩盤を貫通するためのドリルビット手段を受容するようになっていても良い。ドリルビット手段１１７は、切断ヘッド又はドリル先端具、１１８を包含する。ドリルビット手段１１７は、図10aのA-A矢視に沿った断面図に示される、洗浄用の及びグラウト材の流体のための復路となる導管１１９を包含する。ドリルビット手段１１７は、細長い第一部材１１２に、例えばロー付け、突合せ溶接、鍛造、又はその類似の方法によって、適切に装着される。あるいは、第一端部１１４ａは、岩盤を貫通するためのドリルビット手段を受容するようになっていてもよい。ドリルビット手段１１７は、ロックボルト１１１を受容するのに十分な直径の穴を穿孔する寸法になっている。
【００８６】
図10bは、延長ロッド１２０を示していて、細長い第三部材１１２Ｂ及び細長い第四部材１１３Ｂを包含する。細長い第三部材１１２Ｂは、細長い第四部材１１３Ｂの部分的に長手方向の内側に配置される。細長い第四部材１１３Ｂの第一端部１２１Ｃは、図10aの細長い第二部材１１３の第二端部１１４Ｄに固定されるようになっている輪郭をかたどるリップを包含する。さらに、細長い第四部材１１３Ｂの第二端部１２１Ｄは、細長い第六部材（図示されていない）の第一端部に固定されるようになっている輪郭をかたどるリップを包含する。細長い第三部材１１２Ｂは、第一端部１２１Ａと第二端部１２１Ｂを含み、第二端部１２１Ｂは装着手段としてドリル駆動手段（図示されていない）を受容することが出来る駆動要素１２３を包含している。駆動要素１２３が回転すると、細長い第三部材１１２Ｂもまた回転する。細長い第三部材１１２Ｂの第一端部１２１Ａは、めネジ山１２２を含み、めネジ山１２２は、第一の回転方向に図10aのおネジ山１１６と係合し、回転して固定する。細長い第三部材１１２Ｂの第一の方向の回転が、細長い第一部材１１２に同一方向の回転を引き起こすように、細長い第三部材１１２Ｂは細長い第一部材１１２に固定される。このようにして、第一の回転方向にある細長い第三部材の回転は、ドリルビットを回転して穿孔作業が行われる。細長い第三部材１１２Ｂの第二端部１２１Ｂは、おネジ山１２４を含み、おネジ山１２４は、細長い第一部材と細長い第三部材との間を固定するのと同一の方法で、細長い第五部材（図示されていない）の第一端部のめネジ山を回転して固定する。
【００８７】
図11aは、本発明の前述の実施形態の代替となるロックボルト１３０を示す。ロックボルト１３０は、細長い第一部材又はシャフト、１３１、及び細長い第二部材又はスリーブ、１３２を包含する。細長い第一部材１３１は、細長い第二部材１３２の部分的に長手方向の内側に配置される。細長い第二部材１３２は、第一端部１３３Ｃと第二端部１３３Ｄを包含する。細長い、第一と第二の部材１３１と１３２の第一端部は、ロックボルト１３０の第一端部に対応する。細長い第二部材１３２は、拡張さや又は固定装置、１３６Ａの設備を介して、少なくともその長さの一部に沿って、横方向への拡張の形で変形するようになっている。細長い第一部材１３１は、第一端部１３３Ａ及び第二端部１３３Ｂを含み、第二端部１３３Ｂはドリル駆動手段（図示されていない）を受容することが出来る、駆動要素１３４を受容するようになっている。細長い第一部材１３１の第二端部１３３Ｂは、ナット又はカラー部品（図示されていない）をさらに受容するようになっている。駆動要素１３４が回転すると、細長い第一部材１３１もまた回転する。装着手段としての細長い第一部材１３１の第二端部１３３Ｂは、おネジ山１３５をさらに含み、おネジ山１３５は、図11bに示すように、細長い第三部材１３１Ｂが第一の方向に回転する時に、細長い第三部材１３１Ｂの第一端部１４３Ａのめネジ山１４７を回転して固定する。細長い第一部材１３１の第一端部１３３Ａは、岩盤を貫通するようになっているドリルビット手段１３７を包含する。あるいは、第一端部１３３Ａは、岩盤を貫通するためのドリルビット手段を受容するようになっていてもよい。ドリルビット手段１３７は、切断ヘッド又はドリル先端具、１３８、及び先細のカラー又は係合表面、１３６を包含する。先細のカラー１３６の幅の広い部分は、切断ヘッド１３８の方向に、幅の狭い部分は、細長い第二部材１３２の第一端部１３３Ｃの方向に配置される。さらに、ドリルビット手段１３７の先細のカラー１３６は、洗浄用の及びグラウト材の流体の復路となる導管１３９を含んでいて、導管１３９は図11aのA-A矢視に沿った断面図で示される。ドリルビット手段１３７は、例えば、ロー付け、突合せ溶接、鍛造、又はその類似の方法によって、細長い第一部材１３１に適切に装着される。あるいは、第一端部１３３Ａは、岩盤を貫通するためのドリルビット手段を受容するようになっていてもよい。ドリルビット手段１３７は、細長い第二部材１３２の端部１３３Ｃを越えて突き出ている。先細のカラー１３６の低い方の端部は、先細のカラー１３６の幅が細長い第二部材１３２の内径に一致するまで、ドリルビット手段１３７を細長い第二部材１３２の内側に進行させることが出来る。ドリルビット手段１３７は、ロックボルト１３０を受容するのに十分な直径の穴を穿孔する寸法になっている。
【００８８】
図11bは延長ロッド１４０を示し、細長い第三部材１３１Ｂ及び細長い第四部材１３２Ｂを包含する。細長い第三部材１３１Ｂは、細長い第四部材１３２Ｂの部分的に長手方向の内側に配置される。細長い第四部材１３２Ｂの第一端部１４３Ｃは、図11aの細長い第二部材又はスリーブ、１３２の第二端部１３３Ｄに固定されるようになっている輪郭をかたどるリップを包含する。さらに細長い第四部材１３２Ｂの第二端部１４３Ｄは、細長い第六部材（図示していない）の第一端部に固定されるようになっている輪郭をかたどるリップを包含する。細長い第三部材１３１Ｂは、第一端部１４３Ａ及び第二端部１４３Ｂを含んでいて、第二端部１４３Ｂは、装着手段としてドリル駆動手段（図示されていない）を受容することが出来る駆動要素１４４を包含する。細長い第三部材１３１Ｂの第二端部１４３Ｂはさらに、ナット又はカラー部品、１４５を受容するようになっている。駆動要素１４４が回転すると、細長い第三部材１３１Ｂもまた回転する。細長い第三部材１３１Ｂの第一端部１４３Ａは、めネジ山１４７を含んでいて、上述したように、めネジ山１４７は、図11aのおネジ山１３５と係合し、回転して固定する。細長い第三部材１３１Ｂの第一の方向の回転が、細長い第一部材１３１に同一方向の回転をひき起こすように、細長い第三部材１３１Ｂは細長い第一部材１３１に固定される。このようにして、細長い第三部材が第一の方向に回転すると、ドリルビット手段も回転し、穿孔作業が行なわれる。細長い第三部材１３１Ｂの第二端部１４３Ｂは、細長い第五部材（図示されていない）のめネジ山を回転して固定するためのおネジ山１４６を包含する。
【００８９】
上述と同様の方法で、さらなる延長ロッドの接続によって、さらなる延長部分が挿入されて可能になることは、正しく認識されるだろう。それぞれの延長ロッドは好ましくは、さらなる同一の延長ロッドを、いずれか一方で又は各々の端部で受容し、上述したような、さらに深いボルト穴を穿孔するために機能することが出来るようになっている。加えて、浅いボルト穴を完成するには、たった一つの延長ロッドを使用するだけで可能である。本発明の実施形態のロックボルトは、上述したように、細長い、第一と第二の部材と一つ又はそれ以上の延長部分との組合せからなる。
以前の実施形態の何れにも従うボルトは、上述したような延長ロッドと連結されてもよい。
【００９０】
穿孔作業は、図10aの駆動要素１１５に備わる装着手段又はカラー部品に、穿孔機械又は装置（図示されていない）を装着することよって駆動され、細長い第一部材１１２及びドリルビット手段１１７は、第一の回転方向に回転する。岩盤とドリルビット手段１１７との係合には、穿孔装置の回転運動と連動して、岩盤面に対する長手方向（軸方向）の圧力をかけることが必要である。穿孔作業の間、ドリルビット手段１１７は、岩盤面と第二部材１１３との間の第二キャビティ１１０Ｂに注入される冷却剤で冷却される。冷却剤はそれから、細長い第一部材１１２と細長い第二部材１１３の間の第一キャビティ又は通路、１１０Ａに流入し、また流出して戻る。
あるいは、冷却剤は、細長い第一部材１１２と細長い第二部材１１３との間の第一キャビティ１１０Ａに注入され、岩盤面と細長い第二部材１１３との間の第二キャビティ１１０Ｂを経由して戻ってもよい。
【００９１】
ボルトの長さは、ロックボルト１１１を延長するための図10bの延長ロッド１２０を使用して延長される。延長ロッド１２０は穿孔作業によって、細長い第一部材１１２の第二端部１１４Ｂに装着される。穿孔作業は、穿孔機械又は装置（図示されていない）を、延長ロッド１２０の駆動要素１２３に備わる装着手段に装着することによって駆動され、細長い第三部材１１２Ｂは第一の回転方向に回転する。細長い第四部材１１３Ｂの第一端部１２１Ｃは、それからバネ式接続金具のような装着手段によって、細長い第二部材１１３の第二端部１１４Ｄに取付けられる。
【００９２】
ここに、駆動要素１２３に備わる装着手段に穿孔機械（図示されていない）を装着することによって、連結された細長い第一部材１１２と細長い第三部材１１２Ｂとドリルビット手段１１９が第一の回転方向に回転して、穴の深さは延伸される。穿孔作業の間、ドリルビット手段１１９は、冷却剤を用いて冷却され、冷却剤は、岩盤面と細長い第一部材１１２との、及び岩盤面と細長い第三部材１１２Ｂとの間に広がる第二キャビティ１１０Ａに注入される。冷却剤は、岩盤面と第一部材１１２との、及び岩盤面と第三部材１１２Ｂとの間の第一キャビティ１１０Ａ、並びに岩盤面と第二部材１１３との、及び岩盤面と第四部材１１３Ｂとの間の第二キャビティ１１０Ｂに流入し、また流出する。
必要な深さの穴が穿孔されると、グラウト材の流体が、連結された細長い、第一と第三の部材１１２と１１２Ｂ、及び連結された細長い、第二と第四の部材１１３と１１３Ｂの間にある第一キャビティ１１０Ａに、満杯になるまで注入される。グラウト材の流体はまた、岩盤面及び連結された細長い、第二と第四の部材の間にある第二キャビティ７８にも注入される。そこで延長されたボルト１１１と１２０は、グラウト材の流体の中に固化のために残される。一つの循環路が形成されてもよくて、グラウト材が第一と第二のキャビティ、１１０Ａと７８のいずれか一つを通過し、細長い第一部材の第一端部の領域でもう一方を通過して、両方のキャビティが満杯になる。
【００９３】
図11の延長可能なボルトは、図10を参照して述べられたのと同様の方法で、穿孔される。しかし、必要な深さの穴が穿孔された時に、ナット又はカラー部品、１４５が、細長い第三部材１３１Ｂのおネジ山に沿って回転され、その結果、ナット１４５を細長い第三部材１３１Ｂの第一端部１４３Ａの方向に進出させて、細長い第四部材１３２Ｂを前進する（その結果、装着された細長い第二部材１３２となる）。ナット１４５の回転を続けると、ナット１４５は、カラー１３６の先細り部分を細長い第二部材又はスリーブ、１３２の第一端部１３３Ｃに押し付けて、その結果、拡張さや１３６Ａが拡張して、穴の壁と係合する。
【００９４】
上述と同様の方法で、さらなる延長ロッドの接続によって、さらなる延長部分が挿入されて可能になることが、正しく認識されるだろう。それぞれの延長ロッドは好ましくは、さらなる同一の延長ロッドを、いずれか一方で又は各々の端部で受容し、上述したような、さらに深いボルト穴を穿孔するために機能することが出来るようになっている。加えて、浅いボルト穴を完成するには、たった一つの延長ロッドを使用するだけで可能である。
より浅いボルト穴を完成するために、図11aのたった一つのロックボルト１３０を使用することが可能であることは、正しく認識されるだろう。ナット１４５（図11aには示されていない）は、細長い第一部材１３１のおネジ山１３５に装着される。ナット１４５は、細長い第一部材端部１３１のおネジ山に沿って回転され、その結果ナット１４５を細長い第一部材１３１の第一端部１３３Ａの方向に進出させて、細長い第二部材１３２を前進させる。ナット１４５の回転を続けると、カラー１３６の先細り部分を細長い第二部材１３２の第一端部１３３Ｃに押し付けて、その結果、拡張さや１３６Ａが拡張して穴の壁と係合する。
【００９５】
先に述べられた、部品の特定な組立及び配置において、様々な変更及び／又は追加が、本発明の精神又は範囲から逸脱することなくなされてもよいことは、正しく認識されるだろう。
【図面の簡単な説明】
【００９６】
【図１ａ】図1aは、本発明のロックボルトを示す。
【図１ｂ】図1bは、本発明のロックボルトを示す。
【図２】図2は、拡張さやと係合したロックボルトを示す。
【図３ａ】図3aは、本発明の代替ロックボルトを示す。
【図３ｂ】図3bは、本発明の代替ロックボルトを示す。
【図３ｃ】図3cは、本発明の代替ロックボルトを示す。
【図４ａ】図4aは、本発明のさらなる代替ロックボルトを示す。
【図４ｂ】図4bは、本発明のさらなる代替ロックボルトを示す。
【図４ｃ】図4cは、本発明のさらなる代替ロックボルトを示す。
【図４ｄ】図4dは、本発明のさらなる代替ロックボルトを示す。
【図５ａ】図5aは、本発明の別の代替ロックボルトを示す。
【図５ｂ】図5bは、本発明の別の代替ロックボルトを示す。
【図５ｃ】図5cは、本発明の別の代替ロックボルトを示す。
【図５ｄ】図5dは、本発明の別の代替ロックボルトを示す。
【図６ａ】図6aは、本発明の第五態様の代替ロックボルトを示す。
【図６ｂ】図6bは、本発明の第五態様の代替ロックボルトを示す。
【図６ｃ】図6cは、本発明の第五態様の代替ロックボルトを示す。
【図６ｄ】図6dは、本発明の第五態様の代替ロックボルトを示す。
【図７ａ】図7aは、本発明の第六態様の代替ロックボルトを示す。
【図７ｂ】図7bは、本発明の第六態様の代替ロックボルトを示す。
【図７ｃ】図7cは、本発明の第六態様の代替ロックボルトを示す。
【図８ａ】図8aは、本発明の第七態様の代替ロックボルトを示す。
【図８ｂ】図8bは、本発明の第七態様の代替ロックボルトを示す。
【図８ｃ】図8cは、本発明の第七態様の代替ロックボルトを示す。
【図９ａ】図9aは、本発明の第八態様のドリルを示す。
【図９ｂ】図9bは、本発明の第八態様のドリルを示す。
【図１０ａ】図10aは、本発明のさらなる代替ロックボルトを示す。
【図１０ｂ】図10bは、本発明のさらなる代替ロックボルトを示す。
【図１０ｃ】図10cは、本発明のさらなる代替ロックボルトを示す。
【図１１ａ】図11aは、本発明の別の代替ロックボルトを示す。
【図１１ｂ】図11bは、本発明の別の代替ロックボルトを示す。
【図１１ｃ】図11cは、本発明の別の代替ロックボルトを示す。
【国際調査報告】
2006526718.tif 000014
2006526718.tif 000015
2006526718.tif 000016
2006526718.tif 000017
2006526718.tif 000018
2006526718.tif 000019